(57)【要約】  本願は、タイマーに基づく帯域幅部分の切り替え方法、端末デバイス及びネットワークデバイスを提供する。該方法は端末デバイスに応用され、該端末デバイスの現在のサービングセルに帯域幅部分ＢＷＰ及び非動的スケジューリングリソースが構成されており、現在アクティブ化されている帯域幅部分ＢＷＰにＢＷＰ非アクティブ化タイマーが構成されており、該方法は、該端末デバイスが指示情報を受信した後、該ＢＷＰ非アクティブ化タイマーを停止、開始又は調整するかどうかを決定し、該指示情報は、該端末デバイスが該非動的スケジューリングリソースをアクティブ化又は非アクティブ化するように指示する。本願の実施例において、端末デバイスは、指示情報を受信した後、ＢＷＰ非アクティブ化タイマーを停止、開始又は調整するかどうかを決定することで、帯域幅部分を切り替えた際にデータの伝送が中断されるという問題を回避することができる。
2021516478.tif 000002
【特許請求の範囲】
【請求項１】
端末デバイスに応用されるタイマーに基づく帯域幅部分の切り替え方法であって、
前記端末デバイスの現在のサービングセルに帯域幅部分ＢＷＰ及び非動的スケジューリングリソースが構成されており、現在アクティブ化されている帯域幅部分ＢＷＰにＢＷＰ非アクティブ化タイマーが構成されており、
前記方法は、
前記端末デバイスが指示情報を受信した後、前記ＢＷＰ非アクティブ化タイマーを停止、開始又は調整するかどうかを決定することを含み、
前記指示情報は、前記端末デバイスが前記非動的スケジューリングリソースをアクティブ化又は非アクティブ化するように指示する
ことを特徴とするタイマーに基づく帯域幅部分の切り替え方法。
【請求項２】
前記端末デバイスが指示情報を受信した後、前記ＢＷＰ非アクティブ化タイマーを停止、開始又は調整するかどうかを決定することは、
前記端末デバイスが、構成スケジューリング−無線ネットワーク一時識別子ＣＳ−ＲＮＴＩを利用してスクランブルされた物理下り制御チャネルＰＤＣＣＨを受信した後、前記ＢＷＰ非アクティブ化タイマーを停止、開始又は調整するかどうかを決定することを含み、前記ＰＤＣＣＨは、前記端末デバイスが前記非動的スケジューリングリソースをアクティブ化又は非アクティブ化するように指示する
ことを特徴とする請求項１に記載のタイマーに基づく帯域幅部分の切り替え方法。
【請求項３】
前記端末デバイスが指示情報を受信した後、前記ＢＷＰ非アクティブ化タイマーを停止、開始又は調整するかどうかを決定することは、
前記端末デバイスが無線リソース制御ＲＲＣ再構成メッセージを受信した後、前記ＢＷＰ非アクティブ化タイマーを停止、開始又は調整するかどうかを決定することを含み、前記ＲＲＣ再構成メッセージが前記指示情報を含む
ことを特徴とする請求項１に記載のタイマーに基づく帯域幅部分の切り替え方法。
【請求項４】
前記ＢＷＰ非アクティブ化タイマーを停止、開始又は調整するかどうかを決定することは、
前記端末デバイスが第１の条件を満たす場合、前記ＢＷＰ非アクティブ化タイマーを停止又は調整すると決定することを含み、
前記第１の条件は、前記端末デバイスが前記指示情報を取得した後に前記ＢＷＰ非アクティブ化タイマーを停止又は調整するかどうかを判断する基準である
ことを特徴とする請求項１〜３のいずれか１項に記載のタイマーに基づく帯域幅部分の切り替え方法。
【請求項５】
前記端末デバイスが第１の条件を満たす場合、前記ＢＷＰ非アクティブ化タイマーを停止又は調整すると決定することは、
前記端末デバイスが、前記指示情報が前記端末デバイスが前記非動的スケジューリングリソースをアクティブ化するように指示すると決定する場合、前記ＢＷＰ非アクティブ化タイマーを停止又は調整すると決定することを含む
ことを特徴とする請求項４に記載のタイマーに基づく帯域幅部分の切り替え方法。
【請求項６】
前記端末デバイスが、前記指示情報が前記端末デバイスが前記非動的スケジューリングリソースをアクティブ化するように指示すると決定する場合、前記ＢＷＰ非アクティブ化タイマーを停止又は調整すると決定することは、
前記端末デバイスが、前記ＰＤＣＣＨのハイブリッド自動再送要求ＨＡＲＱ情報における新しいデータインデックスＮＤＩが０であり、前記指示情報が前記端末デバイスが前記非動的スケジューリングリソースをアクティブ化するように指示すると決定する場合、前記ＢＷＰ非アクティブ化タイマーを停止又は調整すると決定することを含む
ことを特徴とする請求項５に記載のタイマーに基づく帯域幅部分の切り替え方法。
【請求項７】
前記ＢＷＰ非アクティブ化タイマーを停止、開始又は調整するかどうかを決定することは、
前記端末デバイスが第２の条件を満たす場合、前記ＢＷＰ非アクティブ化タイマーを開始、再開又は調整すると決定することを含み、前記第２の条件は、前記端末デバイスが前記指示情報を取得した後に前記ＢＷＰ非アクティブ化タイマーを開始、再開又は調整するかどうかを判断する基準である
ことを特徴とする請求項１〜６のいずれか１項に記載のタイマーに基づく帯域幅部分の切り替え方法。
【請求項８】
前記端末デバイスが第２の条件を満たす場合、前記ＢＷＰ非アクティブ化タイマーを開始、再開又は調整すると決定することは、
前記端末デバイスが、前記指示情報が前記端末デバイスが前記非動的スケジューリングリソースを非アクティブ化するよう指示すると決定する場合、前記ＢＷＰ非アクティブ化タイマーを開始、再開又は調整すると決定することを含む
ことを特徴とする請求項７に記載のタイマーに基づく帯域幅部分の切り替え方法。
【請求項９】
前記端末デバイスが、前記指示情報が前記端末デバイスが前記非動的スケジューリングリソースを非アクティブ化するよう指示すると決定する場合、前記ＢＷＰ非アクティブ化タイマーを開始、再開又は調整すると決定することは、
前記端末デバイスが、前記ＰＤＣＣＨのハイブリッド自動再送要求ＨＡＲＱ情報における新しいデータインデックスＮＤＩが０であり、前記指示情報が前記端末デバイスが前記非動的スケジューリングリソースを非アクティブ化するように指示すると決定する場合、前記ＢＷＰ非アクティブ化タイマーを開始又は再開することを含む
ことを特徴とする請求項８に記載のタイマーに基づく帯域幅部分の切り替え方法。
【請求項１０】
前記非動的スケジューリングリソースは、
ペアリングスペクトル上の下り非動的スケジューリングリソース、非ペアリングスペクトル上の下り非動的スケジューリングリソース、及び非ペアリングスペクトル上の上り非動的スケジューリングリソースのうちの少なくとも１つを含む
ことを特徴とする請求項１〜９のいずれか１項に記載のタイマーに基づく帯域幅部分の切り替え方法。
【請求項１１】
前記端末デバイスにデフォルトＢＷＰが構成されており、前記現在アクティブ化されているＢＷＰが非デフォルトＢＷＰである
ことを特徴とする請求項１〜１０のいずれか１項に記載のタイマーに基づく帯域幅部分の切り替え方法。
【請求項１２】
前記端末デバイスにデフォルトＢＷＰが構成されず、前記現在アクティブ化されているＢＷＰが非初期ＢＷＰである
ことを特徴とする請求項１〜１０のいずれか１項に記載のタイマーに基づく帯域幅部分の切り替え方法。
【請求項１３】
タイマーに基づく帯域幅部分の切り替え方法であって、
ネットワークデバイスが指示情報を生成することと、
前記ネットワークデバイスが前記ネットワークデバイスに前記指示情報を送信することとを含み、
前記指示情報は、端末デバイスが前記端末デバイスの現在のサービングセルに構成された非動的スケジューリングリソースをアクティブ化又は非アクティブ化するように指示する
ことを特徴とするタイマーに基づく帯域幅部分の切り替え方法。
【請求項１４】
前記ネットワークデバイスが前記ネットワークデバイスに前記指示情報を送信することは、
前記ネットワークデバイスが構成スケジューリング−無線ネットワーク一時識別子ＣＳ−ＲＮＴＩを利用してスクランブルされた物理下り制御チャネルＰＤＣＣＨを前記ネットワークデバイスに送信することを含み、前記ＰＤＣＣＨは、前記端末デバイスが前記非動的スケジューリングリソースをアクティブ化又は非アクティブ化するように指示する
ことを特徴とする請求項１３に記載のタイマーに基づく帯域幅部分の切り替え方法。
【請求項１５】
前記ネットワークデバイスが前記ネットワークデバイスに前記指示情報を送信することは、
前記ネットワークデバイスが前記ネットワークデバイスに無線リソース制御ＲＲＣ再構成メッセージを送信することを含み、前記ＲＲＣ再構成メッセージが前記指示情報を含む
ことを特徴とする請求項１３に記載のタイマーに基づく帯域幅部分の切り替え方法。
【請求項１６】
前記非動的スケジューリングリソースは、
ペアリングスペクトル上の下り非動的スケジューリングリソース、非ペアリングスペクトル上の下り非動的スケジューリングリソース、及び非ペアリングスペクトル上の上り非動的スケジューリングリソースのうちの少なくとも１つを含む
ことを特徴とする請求項１３〜１５のいずれか１項に記載のタイマーに基づく帯域幅部分の切り替え方法。
【請求項１７】
前記端末デバイスにデフォルトＢＷＰが構成されており、前記現在アクティブ化されているＢＷＰが非デフォルトＢＷＰである
ことを特徴とする請求項１３〜１６のいずれか１項に記載のタイマーに基づく帯域幅部分の切り替え方法。
【請求項１８】
前記端末デバイスにデフォルトＢＷＰが構成されず、前記現在アクティブ化されているＢＷＰが非初期ＢＷＰである
ことを特徴とする請求項１３〜１６のいずれか１項に記載のタイマーに基づく帯域幅部分の切り替え方法。
【請求項１９】
受信ユニットと、処理ユニットとを備える端末デバイスであって、
前記端末デバイスの現在のサービングセルに帯域幅部分ＢＷＰ及び非動的スケジューリングリソースが構成されており、現在アクティブ化されている帯域幅部分ＢＷＰにＢＷＰ非アクティブ化タイマーが構成されており、
前記受信ユニットは、指示情報を受信するように構成され、
前記処理ユニットは、前記受信ユニットが前記指示情報を受信した後、前記ＢＷＰ非アクティブ化タイマーを停止、開始又は調整するかどうかを決定するように構成され、前記指示情報は、前記端末デバイスが前記非動的スケジューリングリソースをアクティブ化又は非アクティブ化するように指示する
ことを特徴とする端末デバイス。
【請求項２０】
前記処理ユニットは、
前記受信ユニットが構成スケジューリング−無線ネットワーク一時識別子ＣＳ−ＲＮＴＩを利用してスクランブルされた物理下り制御チャネルＰＤＣＣＨ受信した後、前記ＢＷＰ非アクティブ化タイマーを停止、開始又は調整するかどうかを決定するように構成され、前記ＰＤＣＣＨは、前記端末デバイスが前記非動的スケジューリングリソースをアクティブ化又は非アクティブ化するように指示する
ことを特徴とする請求項１９に記載の端末デバイス。
【請求項２１】
前記処理ユニットは、
前記受信ユニットが無線リソース制御ＲＲＣ再構成メッセージを受信した後、前記ＢＷＰ非アクティブ化タイマーを停止、開始又は調整するかどうかを決定するように構成され、
前記ＲＲＣ再構成メッセージが前記指示情報を含む
ことを特徴とする請求項１９に記載の端末デバイス。
【請求項２２】
前記処理ユニットは、さらに、
第１の条件を満たす場合、前記ＢＷＰ非アクティブ化タイマーを停止又は調整すると決定するように構成され、前記第１の条件は、前記端末デバイスが前記指示情報を取得した後に前記ＢＷＰ非アクティブ化タイマーを停止又は調整するかどうかを判断する基準である
ことを特徴とする請求項１９〜２１のいずれか１項に記載の端末デバイス。
【請求項２３】
前記処理ユニットは、さらに、
前記指示情報が前記端末デバイスが前記非動的スケジューリングリソースをアクティブ化するように指示すると決定する場合、前記ＢＷＰ非アクティブ化タイマーを停止又は調整すると決定するように構成される
ことを特徴とする請求項２２に記載の端末デバイス。
【請求項２４】
前記処理ユニットは、さらに、
前記ＰＤＣＣＨのハイブリッド自動再送要求ＨＡＲＱ情報における新しいデータインデックスＮＤＩが０であり、前記指示情報が前記端末デバイスが前記非動的スケジューリングリソースをアクティブ化するように指示すると決定する場合、前記ＢＷＰ非アクティブ化タイマーを停止又は調整すると決定するように構成される
ことを特徴とする請求項２３に記載の端末デバイス。
【請求項２５】
前記処理ユニットは、さらに、
第２の条件を満たす場合、前記ＢＷＰ非アクティブ化タイマーを開始、再開又は調整すると決定するように構成され、前記第２の条件は、前記端末デバイスが前記指示情報を取得した後に前記ＢＷＰ非アクティブ化タイマーを開始、再開又は調整するかどうかを判断する基準である
ことを特徴とする請求項１９〜２４のいずれか１項に記載の端末デバイス。
【請求項２６】
前記処理ユニットは、さらに、
前記指示情報が前記端末デバイスが前記非動的スケジューリングリソースを非活性するように指示すると決定する場合、前記ＢＷＰ非アクティブ化タイマーを開始、再開又は調整すると決定するように構成される
ことを特徴とする請求項２５に記載の端末デバイス。
【請求項２７】
前記処理ユニットは、さらに、
前記ＰＤＣＣＨのハイブリッド自動再送要求ＨＡＲＱ情報における新しいデータインデックスＮＤＩが０であり、前記指示情報が前記端末デバイスが前記非動的スケジューリングリソースを非活性するように指示すると決定する場合、前記ＢＷＰ非アクティブ化タイマーを開始又は再開するように構成される
ことを特徴とする請求項２６に記載の端末デバイス。
【請求項２８】
前記非動的スケジューリングリソースは、
ペアリングスペクトル上の下り非動的スケジューリングリソース、非ペアリングスペクトル上の下り非動的スケジューリングリソース、及び非ペアリングスペクトル上の上り非動的スケジューリングリソースのうちの少なくとも１つを含む
ことを特徴とする請求項１９〜２７のいずれか１項に記載の端末デバイス。
【請求項２９】
前記端末デバイスにデフォルトＢＷＰが構成されており、前記現在アクティブ化されているＢＷＰが非デフォルトＢＷＰである
ことを特徴とする請求項１９〜２８のいずれか１項に記載の端末デバイス。
【請求項３０】
前記端末デバイスにデフォルトＢＷＰが構成されず、前記現在アクティブ化されているＢＷＰが非初期ＢＷＰである
ことを特徴とする請求項１９〜２８のいずれか１項に記載の端末デバイス。
【請求項３１】
生成ユニットと、送信ユニットとを備えるネットワークデバイスであって、
前記生成ユニットは、指示情報を生成するように構成され、前記指示情報は、端末デバイスが前記端末デバイスの現在のサービングセルに構成された非動的スケジューリングリソースをアクティブ化又は非アクティブ化するように指示し、
送信ユニットは、前記ネットワークデバイスに前記指示情報を送信するように構成される
ことを特徴とするネットワークデバイス。
【請求項３２】
前記送信ユニットは、
構成スケジューリング−無線ネットワーク一時識別子ＣＳ−ＲＮＴＩを利用してスクランブルされた物理下り制御チャネルＰＤＣＣＨを前記ネットワークデバイスに送信するように構成され、前記ＰＤＣＣＨは、前記端末デバイスが前記非動的スケジューリングリソースをアクティブ化又は非アクティブ化するように指示する
ことを特徴とする請求項３１に記載のネットワークデバイス。
【請求項３３】
前記送信ユニットは、
前記ネットワークデバイスに無線リソース制御ＲＲＣ再構成メッセージを送信するように構成され、前記ＲＲＣ再構成メッセージが前記指示情報を含む
ことを特徴とする請求項３１に記載のネットワークデバイス。
【請求項３４】
前記非動的スケジューリングリソースは、
ペアリングスペクトル上の下り非動的スケジューリングリソース、非ペアリングスペクトル上の下り非動的スケジューリングリソース、及び非ペアリングスペクトル上の上り非動的スケジューリングリソースのうちの少なくとも１つを含む
ことを特徴とする請求項３１〜３３のいずれか１項に記載のネットワークデバイス。
【請求項３５】
前記端末デバイスにデフォルトＢＷＰが構成されており、前記現在アクティブ化されているＢＷＰが非デフォルトＢＷＰである
ことを特徴とする請求項３１〜３４のいずれか１項に記載のネットワークデバイス。
【請求項３６】
前記端末デバイスにデフォルトＢＷＰが構成されず、前記現在アクティブ化されているＢＷＰが非初期ＢＷＰである
ことを特徴とする請求項３１〜３４のいずれか１項に記載のネットワークデバイス。
【発明の詳細な説明】
【技術分野】
【０００１】
本願の実施例は、通信分野に関し、具体的に、タイマーに基づく帯域幅部分の切り替え方法、端末デバイス及びネットワークデバイスに関する。
【背景技術】
【０００２】
３ＧＰＰ ( Ｔｈｅ３ ｒｄ Ｇｅｎｅｒａｔｉｏｎ Ｐａｒｔｎｅｒｓｈｉｐ Ｐｒｏｊｅｃｔ)無線アクセスネットワーク( Ｒａｄｉｏ Ａｃｃｅｓｓ Ｎｅｔｗｏｒｋ、ＲＡＮ ) ２の１００回の会議において、メディアアクセス制御（Ｍｅｄｉａ Ａｃｃｅｓｓ Ｃｏｎｔｒｏｌ、ＭＡＣ）層に帯域幅部分非アクティブ化タイマー( Ｂａｎｄｗｉｄｔｈ Ｐａｒｔ ｔｉｍｅｒ、ＢＷＰ ｔｉｍｅｒ )が導入され、このＢＷＰ  ｔｉｍｅｒは、非デフォルト下りＢＷＰごとに構成されてよく、その役割は、ＵＥを現在アクティブ化されている非デフォルトＢＷＰからデフォルトＢＷＰまたは初期ＢＷＰに切り替えることで、エネルギー消費を節約する。具体的には、ＢＷＰ ｔｉｍｅｒの動作に関して、現在のＭＡＣプロトコル( ＴＳ３８．３２１ )では、以下のように規定されている
起動または再開条件として、下り割り当てをスケジューリングする物理下りリンク制御チャネル( Ｐｈｙｓｉｃａｌ Ｄｏｗｎｌｉｎｋ Ｃｏｎｔｒｏｌ Ｃｈａｎｎｅｌ、ＰＤＣＣＨ )を受信するか、またはＢＷＰを切り替えるＰＤＣＣＨを受信する。
【０００３】
停止条件として、ランダムアクセス ( Ｒａｎｄｏｍ Ａｃｃｅｓｓ )手順を開始する。
【０００４】
タイムアウトの動作として、現在アクティブ化されているＢＷＰをデフォルト下りＢＷＰ、または初期ＢＷＰに切り替える。
【０００５】
また、ＲＡＮ２＃１００会議では、半永久的スケジューリング( Ｓｅｍｉ−Ｐｅｒｓｉｓｔｅｎｔ Ｓｃｈｅｄｕｌｉｎｇ、ＳＰＳ )は、無線リソース制御( Ｒａｄｉｏ Ｒｅｓｏｕｒｃｅ Ｃｏｎｔｒｏｌ、ＲＲＣ )によって、いくつかの基本パラメータ(例えば、周期)を先に設定し、その後、ＳＰＳ−ＲＮＴＩ ＰＤＣＣＨによって、ＳＰＳリソースをアクティブ化または非アクティブ化することができ、アクティブ化後にのみ、ユーザデバイス( Ｕｓｅｒ Ｅｑｕｉｐｍｅｎｔ、ＵＥ )は、ＳＰＳリソース上での下り伝送を受信することができることも規定されている。しかし、現在アクティブ化されている下りＢＷＰが切替える場合、ＭＡＣの観点からは、その対応するＳＰＳリソースをクリアする必要がある。
【０００６】
これにより、ＳＰＳリソースのアクティブ化後にＢＷＰ ｔｉｍｅｒがタイムアウトすると、ＵＥは、デフォルトの下りＢＷＰまたは初期ＢＷＰに切替、この場合、前にアクティブ化された下りＢＷＰでのＳＰＳ伝送が中断されてしまう。
【発明の概要】
【０００７】
本願は、タイマーに基づく帯域幅部分の切り替え方法、端末デバイス及びネットワークデバイスを提供する。帯域幅部分の切替える時にデータ伝送が中断されるという課題を解決することができる。
【０００８】
第１の態様は、タイマーに基づく帯域幅部分の切り替え方法を提供し、端末デバイスに応用され、前記端末デバイスの現在のサービングセルに帯域幅部分ＢＷＰ及び非動的スケジューリングリソースが構成されており、現在アクティブ化されている帯域幅部分ＢＷＰにＢＷＰ非アクティブ化タイマーが構成されており、
前記方法は、
前記端末デバイスが指示情報を受信した後、前記ＢＷＰ非アクティブ化タイマーを停止、開始又は調整するかどうかを決定することを含み、前記指示情報は、前記端末デバイスが前記非動的スケジューリングリソースをアクティブ化又は非アクティブ化するように指示する。
【０００９】
本願の実施例では、端末デバイスが端末デバイスの現在のサービングセルのために構成された非動的スケジューリングリソースをアクティブ化又は非アクティブ化することを指示する指示情報を受信した後に、ＢＷＰ非アクティブ化タイマーを停止、起動又は調整するかを決定することによって、帯域幅が切り替わる際にデータ伝送が中断される問題を回避することができる。
【００１０】
いくつかの実施可能な形態において、前記端末デバイスが指示情報を受信した後、前記ＢＷＰ非アクティブ化タイマーを停止、開始又は調整するかどうかを決定することは、
前記端末デバイスが、構成スケジューリング−無線ネットワーク一時識別子ＣＳ−ＲＮＴＩを利用してスクランブルされた物理下り制御チャネルＰＤＣＣＨを受信した後、前記ＢＷＰ非アクティブ化タイマーを停止、開始又は調整するかどうかを決定することを含み、ここで、前記ＰＤＣＣＨは、前記端末デバイスが前記非動的スケジューリングリソースをアクティブ化又は非アクティブ化するように指示する。
【００１１】
いくつかの実施可能な形態において、前記端末デバイスが指示情報を受信した後、前記ＢＷＰ非アクティブ化タイマーを停止、開始又は調整するかどうかを決定することは、
前記端末デバイスが無線リソース制御ＲＲＣ再構成メッセージを受信した後、前記ＢＷＰ非アクティブ化タイマーを停止、開始又は調整するかどうかを決定することを含み、ここで、前記ＲＲＣ再構成メッセージが前記指示情報を含む。
【００１２】
いくつかの実施可能な形態において、前記ＢＷＰ非アクティブ化タイマーを停止、開始又は調整するかどうかを決定することは、
前記端末デバイスが第１の条件を満たす場合、前記ＢＷＰ非アクティブ化タイマーを停止又は調整すると決定することを含み、前記第１の条件は、前記端末デバイスが前記指示情報を取得した後に前記ＢＷＰ非アクティブ化タイマーを停止又は調整するかどうかを判断する基準である。
【００１３】
いくつかの実施可能な形態において、前記端末デバイスが第１の条件を満たす場合、前記ＢＷＰ非アクティブ化タイマーを停止又は調整すると決定することは、
前記端末デバイスが、前記指示情報が前記端末デバイスが前記非動的スケジューリングリソースをアクティブ化するように指示すると決定する場合、前記ＢＷＰ非アクティブ化タイマーを停止又は調整すると決定することを含む。
【００１４】
いくつかの実施可能な形態において、前記端末デバイスが、前記指示情報が前記端末デバイスが前記非動的スケジューリングリソースをアクティブ化するように指示すると決定する場合、前記ＢＷＰ非アクティブ化タイマーを停止又は調整すると決定することは、
前記端末デバイスが、前記ＰＤＣＣＨのハイブリッド自動再送要求ＨＡＲＱ情報における新しいデータインデックスＮＤＩが０であり、前記指示情報が前記端末デバイスが前記非動的スケジューリングリソースをアクティブ化するように指示すると決定する場合、前記ＢＷＰ非アクティブ化タイマーを停止又は調整すると決定することを含む。
【００１５】
いくつかの実施可能な形態において、前記ＢＷＰ非アクティブ化タイマーを停止、開始又は調整するかどうかを決定することは、
前記端末デバイスが第２の条件を満たす場合、前記ＢＷＰ非アクティブ化タイマーを開始、再開又は調整すると決定することを含み、前記第２の条件は、前記端末デバイスが前記指示情報を取得した後に前記ＢＷＰ非アクティブ化タイマーを開始、再開又は調整するかどうかを判断する基準である。
【００１６】
いくつかの実施可能な形態において、前記端末デバイスが第２の条件を満たす場合、前記ＢＷＰ非アクティブ化タイマーを開始、再開又は調整すると決定することは、
前記端末デバイスが、前記指示情報が前記端末デバイスが前記非動的スケジューリングリソースを非アクティブ化するよう指示すると決定する場合、前記ＢＷＰ非アクティブ化タイマーを開始、再開又は調整すると決定することを含む。
【００１７】
いくつかの実施可能な形態において、前記端末デバイスが、前記指示情報が前記端末デバイスが前記非動的スケジューリングリソースを非アクティブ化するよう指示すると決定する場合、前記ＢＷＰ非アクティブ化タイマーを開始、再開又は調整すると決定することは、
前記端末デバイスが、前記ＰＤＣＣＨのハイブリッド自動再送要求ＨＡＲＱ情報における新しいデータインデックスＮＤＩが０であり、前記指示情報が前記端末デバイスが前記非動的スケジューリングリソースを非アクティブ化するように指示すると決定する場合、前記ＢＷＰ非アクティブ化タイマーを開始又は再開することを含む。
【００１８】
いくつかの実施可能な形態において、前記非動的スケジューリングリソースは、
ペアリングスペクトル上の下り非動的スケジューリングリソース、非ペアリングスペクトル上の下り非動的スケジューリングリソース、及び非ペアリングスペクトル上の上り非動的スケジューリングリソースのうちの少なくとも１つを含む。
【００１９】
いくつかの実施可能な形態において、前記端末デバイスにデフォルトＢＷＰが構成されており、前記現在アクティブ化されているＢＷＰが非デフォルトＢＷＰである。
【００２０】
いくつかの実施可能な形態において、前記端末デバイスにデフォルトＢＷＰが構成されず、前記現在アクティブ化されているＢＷＰが非初期ＢＷＰである。
【００２１】
第２の態様は、タイマーに基づく帯域幅部分の切り替え方法を提供し、
ネットワークデバイスが指示情報を生成することと、
前記ネットワークデバイスが前記ネットワークデバイスに前記指示情報を送信することとを含み、前記指示情報は、端末デバイスが前記端末デバイスの現在のサービングセルに構成された非動的スケジューリングリソースをアクティブ化又は非アクティブ化するように指示する。
【００２２】
いくつかの実施可能な形態において、前記ネットワークデバイスが前記ネットワークデバイスに前記指示情報を送信することは、
前記ネットワークデバイスが構成スケジューリング−無線ネットワーク一時識別子ＣＳ−ＲＮＴＩを利用してスクランブルされた物理下り制御チャネルＰＤＣＣＨを前記ネットワークデバイスに送信することを含み、前記ＰＤＣＣＨは、前記端末デバイスが前記非動的スケジューリングリソースをアクティブ化又は非アクティブ化するように指示する。
【００２３】
いくつかの実施可能な形態において、前記ネットワークデバイスが前記ネットワークデバイスに前記指示情報を送信することは、
前記ネットワークデバイスが前記ネットワークデバイスに無線リソース制御ＲＲＣ再構成メッセージを送信することを含み、前記ＲＲＣ再構成メッセージが前記指示情報を含む。
【００２４】
いくつかの実施可能な形態において、前記非動的スケジューリングリソースは、
ペアリングスペクトル上の下り非動的スケジューリングリソース、非ペアリングスペクトル上の下り非動的スケジューリングリソース、及び非ペアリングスペクトル上の上り非動的スケジューリングリソースのうちの少なくとも１つを含む。
【００２５】
いくつかの実施可能な形態において、前記端末デバイスにデフォルトＢＷＰが構成されており、前記現在アクティブ化されているＢＷＰが非デフォルトＢＷＰである。
【００２６】
いくつかの実施可能な形態において、前記端末デバイスにデフォルトＢＷＰが構成されず、前記現在アクティブ化されているＢＷＰが非初期ＢＷＰである。
【００２７】
第３の態様は、端末デバイスを提供し、前記端末デバイスの現在のサービングセルに帯域幅部分ＢＷＰ及び非動的スケジューリングリソースが構成されており、現在アクティブ化されている帯域幅部分ＢＷＰにＢＷＰ非アクティブ化タイマーが構成されており、
前記端末デバイスは、受信ユニット及び処理ユニットを含み、
受信ユニットは、指示情報を受信するように構成され、
処理ユニットは、前記受信ユニットが前記指示情報を受信した後、前記ＢＷＰ非アクティブ化タイマーを停止、開始又は調整するかどうかを決定するように構成され、前記指示情報は、前記端末デバイスが前記非動的スケジューリングリソースをアクティブ化又は非アクティブ化するように指示する。
【００２８】
第４の態様は、端末デバイスを提供し、前記端末デバイスの現在のサービングセルに帯域幅部分ＢＷＰ及び非動的スケジューリングリソースが構成されており、現在アクティブ化されている帯域幅部分ＢＷＰにＢＷＰ非アクティブ化タイマーが構成されており、
前記端末デバイスは、送受信機及びプロセッサを含み、
送受信機は、指示情報を受信するように構成され、
プロセッサは、前記受信ユニットが前記指示情報を受信した後、前記ＢＷＰ非アクティブ化タイマーを停止、開始又は調整するかどうかを決定するように構成され、前記指示情報は、前記端末デバイスが前記非動的スケジューリングリソースをアクティブ化又は非アクティブ化するように指示する。
【００２９】
第５の態様は、ネットワークデバイスを提供し、生成ユニット及び送信ユニットを含み、
生成ユニットは、指示情報を生成するように構成され、前記指示情報は、端末デバイスが前記端末デバイスの現在のサービングセルに構成された非動的スケジューリングリソースをアクティブ化又は非アクティブ化するように指示し、
送信ユニットは、前記ネットワークデバイスに前記指示情報を送信するように構成される。
【００３０】
第６の態様は、ネットワークデバイスを提供し、プロセッサ及び送受信機を含み、
プロセッサは、指示情報を生成するように構成され、前記指示情報は、端末デバイスが前記端末デバイスの現在のサービングセルに構成された非動的スケジューリングリソースをアクティブ化又は非アクティブ化するように指示し、
送受信機は、前記ネットワークデバイスに前記指示情報を送信するように構成される。
【００３１】
第７の態様は、上記第１の態様または上記第２の態様の方法の実施例を実行するための命令を含むコンピュータプログラムを記憶するためのコンピュータ可読媒体を提供する。
【００３２】
第８の態様は、入力インタフェースと、出力インタフェースと、少なくとも１つのプロセッサと、メモリとを有するコンピュータチップを提供し、前記プロセッサは、前記メモリ内のコードを実行し、前記コードが実行された場合に、上記第１の態様によるタイマーに基づく帯域幅部分の切り替え方法の端末デバイスによる各処理を実現する。
【００３３】
第９の態様は、入力インタフェースと、出力インタフェースと、少なくとも１つのプロセッサと、メモリとを有するコンピュータチップを提供し、前記プロセッサは、前記メモリ内のコードを実行し、前記コードが実行された場合に、上記第２の態様によるタイマーに基づく帯域幅部分の切り替え方法のネットワークデバイスによる各処理を実現する。
【００３４】
第１０の発明は、上記端末デバイスとネットワークデバイスとを備えた通信システムである。
【図面の簡単な説明】
【００３５】
【図１】本願の応用シーンの例である。
【図２】本願の実施例におけるタイマーに基づく帯域幅部分の切り替え方法のフローチャートである。
【図３】本願の実施例における端末デバイスのブロック図である。
【図４】本願の実施例における他の端末デバイスのブロック図である。
【図５】本願の実施例におけるネットワークデバイスのブロック図である。
【図６】本願の実施例における他のネットワークデバイスのブロック図である。
【発明を実施するための形態】
【００３６】
図１は本願の応用シーンの模式図である。
【００３７】
図１に示すように、通信システム１００は、端末デバイス１１０と、ネットワークデバイス１２０とを含みうる。ネットワークデバイス１２０は、エアインターフェースを通じて端末デバイス１１０と通信し得る。端末デバイス１１０とネットワークデバイス１２０との間でマルチサービス伝送がサポートされる。
【００３８】
本願の実施例は、通信システム１００を例として説明するが、本願の実施例は、これに限定されないことを理解すべきである。すなわち、本願は、ロングタームエボリューション( Ｌｏｎｇ Ｔｅｒｍ  Ｅｖｏｌｕｔｉｏｎ、ＬＴＥ )システム、ＬＴＥ時分割複信( Ｔｉｍｅ Ｄｉｖｉｓｉｏｎ Ｄｕｐｌｅｘ、ＴＤＤ )、ユニバーサル移動通信システム( Ｕｎｉｖｅｒｓａｌ Ｍｏｂｉｌｅ Ｔｅｌｅｃｏｍｍｕｎｉｃａｔｉｏｎ Ｓｙｓｔｅｍ、ＵＭＴＳ )などの様々な通信システムに適用することができる。以下、説明の便宜上、本願の実施例では、第５世代移動体通信技術( ５Ｇ )新ポート( Ｎｅｗ Ｒａｄｉｏ ＮＲ )通信システムを例に説明する。
【００３９】
本願は、ネットワークデバイス及び端末デバイスに関連して様々な実施例を説明している。
【００４０】
ここで、ネットワークデバイス１２０は、ネットワーク側で信号を送信または受信するために使用される任意のエンティティを指し得る。例えば、マシンクラス通信( ＭＴＣ )のユーザ機器、ＬＴＥにおける発展型基地局( Ｅｖｏｌｕｔｉｏｎａｌ Ｎｏｄｅ Ｂ、ｅＮＢ又はｅＮｏｄｅＢ )、５Ｇネットワークにおける基地局機器等であってもよい。
【００４１】
また、端末デバイス１１０は、任意の端末デバイスであってよい。具体的には、端末デバイス１１０は、アクセス端末、ユーザデバイス( Ｕｓｅｒ Ｅｑｕｉｐｍｅｎｔ、ＵＥ )、ユーザ機器、ユーザ局、移動局、リモート端末、モバイルデバイス、ユーザ端末、ワイヤレス通信デバイス、ユーザエージェント、またはユーザ装置とも呼ばれ得、１つまたは複数のコアネットワーク( Ｃｏｒｅ Ｎｅｔｗｏｒｋ )と、ワイヤレスアクセスネットワーク( Ｒａｄｉｏ Ａｃｃｅｓｓ Ｎｅｔｗｏｒｋ、ＲＡＮ )を介して通信し得る。例えば、携帯電話、コードレス電話、セッション開始プロトコル( Ｓｅｓｓｉｏｎ Ｉｎｉｔｉａｔｉｏｎ Ｐｒｏｔｏｃｏｌ、ＳＩＰ )電話、ワイヤレスローカルループ( Ｗｉｒｅｌｅｓｓ Ｌｏｃａｌ Ｌｏｏｐ、ＷＬＬ )局、パーソナルデジタル処理( Ｐｅｒｓｏｎａｌ Ｄｉｇｉｔａｌ Ａｓｓｉｓｔａｎｔ、ＰＤＡ )、ワイヤレス通信機能を有するハンドヘルドデバイス、コンピューティングデバイス、またはワイヤレスモデムに接続された他の処理デバイス、車載デバイス、ウェアラブルデバイス、および５Ｇネットワークにおける端末デバイスなどであり得る。
【００４２】
なお、このＢＷＰは、全てサービングセル( ｓｅｒｖｉｎｇ ｃｅｌｌ )に対して構成されてよく、１つのｓｅｒｖｉｎｇ ｃｅｌｌは、最大４つの下りＢＷＰと最大４つの上りＢＷＰとが配置されることができる。
【００４３】
また、本願の実施例において、この端末デバイス１１０の現在のサービングセルにＢＷＰが構成され、現在アクティブ化されている帯域幅部分ＢＷＰにＢＷＰ非アクティブ化タイマーが構成されてもよい。なお、このＢＷＰ非アクティブ化タイマーは、非デフォルトの下りＢＷＰごとに構成されてよく、その機能は、ＵＥを現在アクティブ化される非デフォルトのＢＷＰからデフォルトＢＷＰまたは初期ＢＷＰに切り替えることで、エネルギー消費を節約する。
【００４４】
具体的には、ＢＷＰ ｔｉｍｅｒの動作に関して、現在のＭＡＣプロトコル( TS３８.３２１ )では、以下のように規定されている
起動または再開条件として、下り割り当てをスケジューリング物理下りリンク制御チャネル( Ｐｈｙｓｉｃａｌ Ｄｏｗｎｌｉｎｋ Ｃｏｎｔｒｏｌ Ｃｈａｎｎｅｌ、ＰＤＣＣＨ )を受信するか、またはＢＷＰを切り替えるＰＤＣＣＨを受信する。
【００４５】
停止条件として、ランダムアクセス ( Ｒａｎｄｏｍ Ａｃｃｅｓｓ )手順を開始する。
【００４６】
タイムアウトの動作として、現在アクティブ化されているＢＷＰをデフォルト下りＢＷＰ、または初期ＢＷＰに切り替える。
【００４７】
なお、この端末デバイス１１０の現在のサービングセルに対して非動的スケジューリングリソースが構成されてもよい。
【００４８】
なお、この非動的スケジューリングリソースは、下り半永久的スケジューリング( Ｓｅｍｉ−Ｐｅｒｓｉｓｔｅｎｔ Ｓｃｈｅｄｕｌｉｎｇ、ＳＰＳ )リソース、上り構成グラント( ｃｏｎｆｉｇｕｒｅｄ ｇｒａｎｔ )リソースを含み、ここで、上りｃｏｎｆｉｇｕｒｅｄ ｇｒａｎｔはタイプ１により構成されるグラントリソース( ｔｙｐｅ１ ｃｏｎｆｉｇｕｒｅｄ ｇｒａｎｔ )とタイプ２により構成されるグラントリソース( ｔｙｐｅ２ ｃｏｎｆｉｇｕｒｅｄ ｇｒａｎｔ )を含み、相違点として、ｔｙｐｅ１ ｃｏｎｆｉｇｕｒｅｄ ｇｒａｎｔはＲＲＣのみによって構成され、ｔｙｐｅ２ ｃｏｎｆｉｇｕｒｅｄ ｇｒａｎｔはＲＲＣによって１つの周期が構成され、他の時間領域リソースは下り制御情報( Ｄｏｗｎｌｉｎｋ Ｃｏｎｔｒｏｌ Ｉｎｆｏｒｍａｔｉｏｎ、ＤＣＩ )によって示されると同時にＤＣＩアクティブ化や非アクティブ化もサポートする。
【００４９】
ここで、半永久的スケジューリング( Ｓｅｍｉ−Ｐｅｒｓｉｓｔｅｎｔ Ｓｃｈｅｄｕｌｉｎｇ、ＳＰＳ )リソースについては、そのＲＲＣ構成は、ＢＷＰに基づいてもよく、即ち、一つの端末が一つのサービングセル( ｓｅｒｖｉｎｇ ｃｅｌｌ )上にｎ個の下りＢＷＰを有する場合、理論的には、下りＢＷＰ毎に一つの対応するＳＰＳ ＲＲＣ構成があってもよい。
【００５０】
具体的には、半永久的スケジューリング( Ｓｅｍｉ−Ｐｅｒｓｉｓｔｅｎｔ Ｓｃｈｅｄｕｌｉｎｇ、ＳＰＳ )は、無線リソース制御( Ｒａｄｉｏ Ｒｅｓｏｕｒｃｅ Ｃｏｎｔｒｏｌ、ＲＲＣ )によって、いくつかの基本パラメータ(例えば、周期)を最初に構成し、その後、スケジューリング無線ネットワーク一時識別子( Ｃｏｎｆｉｇｕｒｅｄ−ｓｃｈｅｄｕｌｉｎｇ Ｒａｄｉｏ Ｎｅｔｗｏｒｋ Ｔｅｍｐｏｒａｒｙ Ｉｄｅｎｔｉｆｉｅｒ、ＣＳ−ＲＮＴＩ ) ＰＤＣＣＨを構成することによってＳＰＳリソースをアクティブ化又は非アクティブ化することができ、アクティブ化後にのみ、ＵＥは、ＳＰＳリソース上での下り伝送を受信することができる。
【００５１】
しかし、現在アクティブ化されている下りＢＷＰが切替える場合、ＭＡＣの観点からは、その対応するＳＰＳリソースをクリアする必要がある。
【００５２】
これにより、ＳＰＳリソースのアクティブ化後にＢＷＰ ｔｉｍｅｒがタイムアウトすると、ＵＥは、デフォルトの下りＢＷＰまたは初期ＢＷＰに切り替えることが見出され、この場合、前にアクティブ化された下りＢＷＰでのＳＰＳ伝送が中断される。
【００５３】
そこで、本願の実施例では、帯域幅部分を切り替える際にデータの伝送が中断されてしまう問題を解決することができるタイマーに基づく帯域幅部分の切り替え方法を提供する。
【００５４】
図２は本願の実施例におけるタイマーに基づく帯域幅部分の切り替え方法のフローチャートである。
【００５５】
具体的に、図２に示すように、この方法は、以下のスッテプを含み、
２１０において、ネットワークデバイスが指示情報を生成し、該指示情報は、端末デバイスが、該端末デバイスの現在のサービングセルに構成された非動的スケジューリングリソースをアクティブ化又は非アクティブ化するために使用される。
【００５６】
２２０において、該ネットワークデバイスが該端末デバイスに該指示情報を送信する。
【００５７】
２３０において、該端末デバイスは、該指示情報を受信した後、ＢＷＰ非アクティブ化タイマーを停止、開始又は調整するかどうかを決定する。
【００５８】
つまり、ネットワークデバイスが指示情報を生成し、該ネットワークデバイスが該ネットワークデバイスに該指示情報を送信する。これにより、該端末デバイスは、指示情報を受信した後、ＢＷＰ非アクティブ化タイマーを停止、開始又は調整するかどうかを決定する。
【００５９】
なお、本願の実施例のタイマーに基づく帯域幅部分の切り替え方法が端末デバイスに応用され、該端末デバイスの現在のサービングセルにＢＷＰ及び非動的スケジューリングリソースが構成されており、現在アクティブ化しているＢＷＰにＢＷＰ非アクティブ化タイマーが構成されている。
【００６０】
本願の実施例において、端末デバイスが、端末デバイスの現在のサービングセルのために構成された非動的スケジューリングリソースをアクティブ化又は非アクティブ化することを示す指示情報を受信した後、ＢＷＰ非アクティブ化タイマを停止、起動又は調整するかを決定することにより、帯域幅の切替え時にデータ伝送が中断される問題を回避することができることが分かる。
【００６１】
以下、本願の実施例における指示情報の例示的な説明を行う。
【００６２】
ある実施例において、該端末デバイスは、ＣＳ−ＲＮＴＩを利用してスクランブルされたＰＤＣＣＨを受信した後、該ＢＷＰ非アクティブ化タイマーを停止、開始又は調整するかどうかを決定し、ここで、該ＰＤＣＣＨは、該端末デバイスが該非動的スケジューリングリソースをアクティブ化又は非アクティブ化するように指示する。つまり、該ネットワークデバイスが該ネットワークデバイスにＣＳ−ＲＮＴＩを利用してスクランブルされたＰＤＣＣＨを送信する。
【００６３】
他の実施例において、該端末デバイスは、無線リソース制御ＲＲＣ再構成メッセージを受信した後、該ＢＷＰ非アクティブ化タイマーを停止、開始又は調整するかどうかを決定し、ここで、該ＲＲＣ再構成メッセージが該指示情報を含む。つまり、該ネットワークデバイスが該ネットワークデバイスに無線リソース制御ＲＲＣ再構成メッセージを送信する。
【００６４】
なお、上記実施例における指示情報の形態は、あくまでも例示であり、本願は、これに限定されるものではない。
【００６５】
以下、本願の実施例において該端末デバイスが該指示情報を受信した後、ＢＷＰ非アクティブ化タイマーを停止、開始又は調整するかどうかを決定することを説明する。
【００６６】
任意選択で、該端末デバイスが第１の条件を満たす場合、該ＢＷＰ非アクティブ化タイマーを停止又は調整すると決定し、該第１の条件は、該端末デバイスが該指示情報を取得した後に該ＢＷＰ非アクティブ化タイマーを停止又は調整するかどうかを判断する基準である。
【００６７】
例えば、該端末デバイスは、該指示情報が該端末デバイスが該非動的スケジューリングリソースをアクティブ化するよう指示すると決定する場合、該ＢＷＰ非アクティブ化タイマーを停止又は調整すると決定する。
【００６８】
さらに、該端末デバイスは、該ＰＤＣＣＨのハイブリッド自動再送要求ＨＡＲＱ情報における新しいデータインデックス（Ｎｅｗ Ｄａｔａ Ｉｎｄｉｃａｔｏｒ、ＮＤＩ）が０であり、且つ、該指示情報が該端末デバイスが該非動的スケジューリングリソースをアクティブ化するように指示すると決定する場合、該ＢＷＰ非アクティブ化タイマーを停止又は調整すると決定する。
【００６９】
任意選択で、該端末デバイスは、第２の条件を満たす場合、該ＢＷＰ非アクティブ化タイマーを開始、再開又は調整すると決定し、該第２の条件は、該端末デバイスが該指示情報を取得した後に該ＢＷＰ非アクティブ化タイマーを開始、再開又は調整するかどうかを判断する基準である。
【００７０】
例えば、該端末デバイスは、該指示情報が該端末デバイスが該非動的スケジューリングリソースを非アクティブ化するように指示すると決定する場合、該ＢＷＰ非アクティブ化タイマーを開始、再開又は調整すると決定する。
【００７１】
さらに、該端末デバイスは、該ＰＤＣＣＨのハイブリッド自動再送要求ＨＡＲＱ情報における新しいデータインデックス（Ｎｅｗ Ｄａｔａ Ｉｎｄｉｃａｔｏｒ、ＮＤＩ）が０、且つ、該指示情報が該端末デバイスが該非動的スケジューリングリソースを非アクティブ化するように指示すると決定する場合、該ＢＷＰ非アクティブ化タイマーを開始又は再開する。
【００７２】
なお、該非動的スケジューリングリソースは、
ペアリングスペクトル上の下り非動的スケジューリングリソース、非ペアリングスペクトル上の下り非動的スケジューリングリソース、及び非ペアリングスペクトル上の上り非動的スケジューリングリソースのうちの少なくとも１つを含む。
【００７３】
例えば、ペアリングスペクトル（例えば、周波数分割複信（Ｆｒｅｑｕｅｎｃｙ Ｄｉｖｉｓｉｏｎ Ｄｕａｌ、ＦＤＤ）スペクトル）の場合、該指示情報は、該端末デバイスが該非動的スケジューリングリソースをアクティブ化するように指示し、該非動的スケジューリングリソースは、下り非動的スケジューリングリソースである。
【００７４】
また、例えば、非ペアリングスペクトル（例えば、時分割複信（Ｔｉｍｅ Ｄｉｖｉｓｉｏｎ Ｄｕｐｌｅｘｉｎｇ、ＴＤＤ）スペクトル）の場合、該指示情報は、該端末デバイスが該非動的スケジューリングリソースをアクティブ化するように指示し、該非動的スケジューリングリソースは、下り又は上り非動的スケジューリングリソースである。
【００７５】
また、例えば、ペアリングスペクトル（例えば、ＦＤＤスペクトル）、該指示情報は、該端末デバイスが該非動的スケジューリングリソースを非アクティブ化するように指示し、該非動的スケジューリングリソースは、下り非動的スケジューリングリソースである。
【００７６】
また、例えば、非ペアリングスペクトル（例えば、ＴＤＤスペクトル）の場合、該指示情報は、該端末デバイスが該非動的スケジューリングリソースを非アクティブ化するように指示し、該非動的スケジューリングリソースは、下り又は上り非動的スケジューリングリソースである。
【００７７】
なお、本願の実施例において、上記の第１の条件および第２の条件は、あくまでも例示であり、本願の実施例は、これらに限定されるものではない。
【００７８】
例えば、本願の実施例において、該端末デバイスにデフォルトＢＷＰがさらに構成されており、これにより、該第１の条件と該第２の条件とは、さらに、端末デバイスが該端末デバイスの現在アクティブ化されているＢＷＰを満たすことが非デフォルトＢＷＰであることを含む。
【００７９】
また、例えば、該端末デバイスにデフォルトＢＷＰが構成されなくてもよく、これにより、該第１の条件と該第２の条件とは、さらに、端末デバイスが該端末デバイスの現在アクティブ化されるＢＷＰを満たすことが非初期ＢＷＰであることを含む。
【００８０】
図３は本願の実施例における端末デバイス３００のブロック図である。なお、該端末デバイスの現在のサービングセルに帯域幅部分ＢＷＰ及び非動的スケジューリングリソースが構成されており、現在アクティブ化されている帯域幅部分ＢＷＰにＢＷＰ非アクティブ化タイマーが構成されておる。
【００８１】
具体的に、図３に示すように、該端末デバイス３００は、受信ユニット３１０及び処理ユニット３２０を含み、
受信ユニット３１０は、指示情報を受信するように構成され、
処理ユニット３２０は、該受信ユニット３１０が該指示情報を受信した後、該ＢＷＰ非アクティブ化タイマーを停止、開始又は調整するかどうかを決定し、該指示情報は、該端末デバイスが該非動的スケジューリングリソースをアクティブ化又は非アクティブ化するように指示する。
【００８２】
任意選択で、該処理ユニット３２０は、具体的に、
該受信ユニット３１０は、構成スケジューリング−無線ネットワーク一時識別子ＣＳ−ＲＮＴＩを利用してスクランブルされた物理下り制御チャネルＰＤＣＣＨを受信した後、該ＢＷＰ非アクティブ化タイマーを停止、開始又は調整するかどうかを決定し、ここで、該ＰＤＣＣＨは、該端末デバイスが該非動的スケジューリングリソースをアクティブ化又は非アクティブ化するように指示する。
【００８３】
任意選択で、該処理ユニット３２０は、具体的に、
該受信ユニット３１０は、無線リソース制御ＲＲＣ再構成メッセージを受信した後、該ＢＷＰ非アクティブ化タイマーを停止、開始又は調整するかどうかを決定し、ここで、該ＲＲＣ再構成メッセージが該指示情報を含む。
【００８４】
任意選択で、該処理ユニット３２０は、さらに、
第１の条件を満たす場合、該ＢＷＰ非アクティブ化タイマーを停止又は調整すると決定し、該第１の条件は、該端末デバイスが該指示情報を取得した後に該ＢＷＰ非アクティブ化タイマーを停止又は調整するかどうかを判断する基準である。
【００８５】
該処理ユニット３２０は、さらに、
該指示情報が該端末デバイスが該非動的スケジューリングリソースをアクティブ化するように指示する場合、該ＢＷＰ非アクティブ化タイマーを停止又は調整すると決定するように構成される。
【００８６】
任意選択で、該処理ユニット３２０は、さらに、
該ＰＤＣＣＨのハイブリッド自動再送要求ＨＡＲＱ情報における新しいデータインデックスＮＤＩが０であり、該指示情報が該端末デバイスが該非動的スケジューリングリソースをアクティブ化するように指示すると決定する場合、該ＢＷＰ非アクティブ化タイマーを停止又は調整すると決定するように構成される。
【００８７】
任意選択で、該処理ユニット３２０は、さらに、
第２の条件を満たす場合、該ＢＷＰ非アクティブ化タイマーを開始、再開又は調整すると決定するように構成され、該第２の条件は、該端末デバイスが該指示情報を取得した後に該ＢＷＰ非アクティブ化タイマーを開始、再開又は調整するかどうかを判断する基準である。
【００８８】
任意選択で、該処理ユニット３２０は、さらに、
該指示情報が該端末デバイスが該非動的スケジューリングリソースを非アクティブ化するように指示すると決定する場合、該ＢＷＰ非アクティブ化タイマーを開始、再開又は調整すると決定するように構成される。
【００８９】
該処理ユニット３２０は、さらに、
該ＰＤＣＣＨのハイブリッド自動再送要求ＨＡＲＱ情報における新しいデータインデックスＮＤＩが０であり、該指示情報が該端末デバイスが該非動的スケジューリングリソースを非アクティブ化するように指示すると決定する場合、該ＢＷＰ非アクティブ化タイマーを開始又は再開するように構成される。
【００９０】
任意選択で、該非動的スケジューリングリソースは、
ペアリングスペクトル上の下り非動的スケジューリングリソース、非ペアリングスペクトル上の下り非動的スケジューリングリソース、及び非ペアリングスペクトル上の上り非動的スケジューリングリソースのうちの少なくとも１つを含む。
【００９１】
任意選択で、該端末デバイスにデフォルトＢＷＰが構成され、現在アクティブ化されているＢＷＰが非デフォルトＢＷＰである。
【００９２】
任意選択で、該端末デバイスにデフォルトＢＷＰが構成されず、現在アクティブ化されているＢＷＰが非最初ＢＷＰである。
【００９３】
本願の実施例において、受信ユニット３１０は、送受信機によって実装されてもよく、処理ユニット４２０は、プロセッサによって実装されてもよい。図４に示すように、端末デバイス４００は、プロセッサ４１０、送受信機４２０、及びメモリ４３０を含む。ここで、メモリ４３０は、指示情報を記憶するために使用されてもよく、プロセッサ４１０が実行するコード、命令などを記憶するために使用されてもよい。端末デバイス４００内の各構成要素は、データバスの他に、電源バス、制御バス、ステータス信号バス等のバスシステムにより接続されている。
【００９４】
図４に示す端末デバイス４００は、前述の図２の方法の実施例における端末デバイスによって実施される様々なプロセスを実施することができ、重複を避けるためにここで説明を省略する。すなわち、本願の実施例における方法の実施例は、プロセッサおよび送受信機によって実装され得る。
【００９５】
図５は本願の実施例においてネットワークデバイス５００のブロック図である。
【００９６】
具体的に、図５に示すように、該ネットワークデバイス５００は、生成ユニット５１０及び送信ユニット５２０を含み、
生成ユニット５１０は、指示情報を生成するように構成され、該指示情報は、端末デバイスが、該端末デバイスの現在のサービングセルに構成された非動的スケジューリングリソースをアクティブ化又は非アクティブ化するように指示し、
送信ユニット５２０は、該ネットワークデバイスに該指示情報を送信するように構成される。
【００９７】
任意選択で、該送信ユニット５２０は、具体的に、
構成スケジューリング−無線ネットワーク一時識別子ＣＳ−ＲＮＴＩを利用してスクランブルされた物理下り制御チャネルＰＤＣＣＨを該ネットワークデバイスに送信するように構成され、該ＰＤＣＣＨは、該端末デバイスが該非動的スケジューリングリソースをアクティブ化又は非アクティブ化するように指示する。
【００９８】
送信ユニット５２０は、具体的に、
該ネットワークデバイスに無線リソース制御ＲＲＣ再構成メッセージを送信するように構成され、該ＲＲＣ再構成メッセージが該指示情報を含む。
【００９９】
任意選択で、該非動的スケジューリングリソースは、
ペアリングスペクトル上の下り非動的スケジューリングリソース、非ペアリングスペクトル上の下り非動的スケジューリングリソース、及び非ペアリングスペクトル上の上り非動的スケジューリングリソースのうちの少なくとも１つを含む。
【０１００】
任意選択で、該端末デバイスにデフォルトＢＷＰが構成され、現在アクティブ化されているＢＷＰが非デフォルトＢＷＰである。
【０１０１】
任意選択で、該端末デバイスにデフォルトＢＷＰが構成されず、現在アクティブ化されているＢＷＰが非初期ＢＷＰである。
【０１０２】
本願の実施例において、生成ユニット５１０はプロセッサによって具現され、送信ユニット５２０は送受信機によって具現される。図６に示すように、ネットワークデバイス６００は、プロセッサ６１０、送受信機６２０、及びメモリ６３０を含み得る。ここで、メモリ６３０は、指示情報を記憶するために使用されてもよく、プロセッサ６１０が実行するコード、命令などを記憶するために使用されてもよい。ネットワークデバイス６００の各構成要素は、データバスの他に、電源バス、制御バス、ステータス信号バスなどのバスシステムによって接続されている。
【０１０３】
図６に示すネットワークデバイス６００は、前述の図２の方法の実施例におけるネットワークデバイスにより実施される様々なプロセスを実施することができ、重複を避けるためにここで説明を省略する。すなわち、本願の実施例における方法の実施例は、プロセッサおよび送受信機によって実装され得る。
【０１０４】
実施において、本願の実施例における方法の実施例のステップは、プロセッサにおけるハードウェアの集積論理回路またはソフトウェア形態の命令によって実行されてもよい。より具体的には、本願の実施例に関連して開示される方法のステップは、ハードウェアデコーディングプロセッサ実行として直接的に、または、デコーディングプロセッサ内のハードウェアおよびソフトウェアモジュールの組み合わせで実行されるとして具現化され得る。ソフトウェアモジュールは、ランダムアクセスメモリ、フラッシュメモリ、読み取り専用メモリ、プログラム可能読み取り専用メモリ、または電気的に消去可能なプログラム可能メモリ、レジスタなどの当該技術分野における成熟した記憶媒体内に配置され得る。この記憶媒体は、メモリに位置し、プロセッサは、メモリ内の情報を読み取り、ハードウェアとともに上述した方法のステップを実行する。
【０１０５】
本願の実施例において言及されるプロセッサは、本願の実施例において開示される様々な方法、ステップ、および論理ブロックを実装または実行することができる信号の処理能力を有する集積回路チップであり得ることが理解されるべきである。例えば、上記のプロセッサは、汎用プロセッサ、デジタル信号プロセッサ( ｄｉｇｉｔａｌ  ｓｉｇｎａｌ  ｐｒｏｃｅｓｓｏｒ、ＤＳＰ )、特定用途向け集積回路( ａｐｐｌｉｃａｔｉｏｎ ｓｐｅｃｉｆｉｃ ｉｎｔｅｇｒａｔｅｄ ｃｉｒｃｕｉｔ、ＡＳＩＣ )、既存のプログラマブルゲートアレイ( ｆｉｅｌｄ ｐｒｏｇｒａｍｍａｂｌｅ ｇａｔｅ ａｒｒａｙ、ＦＰＧＡ )又は他のプログラマブル論理デバイス、トランジスタロジック、ディスクリートハードウェアコンポーネント等であり得る。また、汎用プロセッサはマイクロプロセッサであってもよく、プロセッサは汎用のプロセッサ等であればよい。
【０１０６】
また、本願の実施例で言及されるメモリは、揮発性メモリまたは不揮発性メモリであってもよく、揮発性メモリと不揮発性メモリの両方を含んでもよい。ここで、不揮発性メモリは、リードオンリーメモリ( ｒｅａｄ−ｏｎｌｙ ｍｅｍｏｒｙ、ＲＯＭ )、プログラマブルリードオンリーメモリ( ｐｒｏｇｒａｍｍａｂｌｅ ＲＯＭ、ＰＲＯＭ )、消去可能プログラマブルリードオンリーメモリ( ｅｒａｓａｂｌｅ ＰＲＯＭ、ＥＰＲＯＭ )、電気的消去可能プログラマブルリードオンリーメモリ( ｅｌｅｃｔｒｉｃａｌｌｙ ＥＰＲＯＭ、ＥＥＰＲＯＭ )、またはフラッシュメモリであってもよい。揮発性メモリは、外部キャッシュとして使用されるランダムアクセスメモリ( ｒａｎｄｏｍ ａｃｃｅｓｓ ｍｅｍｏｒｙ、ＲＡＭ )であってよい。上述のメモリは、限定ではなく例示的であるが、例えば、本願の実施例におけるメモリは、スタティックランダムアクセスメモリ( ｓｔａｔｉｃ ＲＡＭ、ＳＲＡＭ )、ダイナミックランダムアクセスメモリ( ｄｙｎａｍｉｃ ＲＡＭ、ＤＲＡＭ )、同期ダイナミックランダムアクセスメモリ( ｓｙｎｃｈｒｏｎｏｕｓ ＤＲＡＭ、ＳＤＲＡＭ )、デュアルデータレート同期ダイナミックランダムアクセスメモリ( ｄｏｕｂｌｅ ｄａｔａ ｒａｔｅ ＳＤＲＡＭ、ＤＤＲ ＳＤＲＡＭ )、拡張同期ダイナミックランダムアクセスメモリ( ｅｎｈａｎｃｅｄ ＳＤＲＡＭ、ＥＳＤＲＡＭ )、同期接続ダイナミックランダムアクセスメモリ( ｓｙｎｃｈ ｌｉｎｋ ＤＲＡＭ、ＳＬＤＲＡＭ )、及びダイレクトメモリバスランダムアクセスメモリ( Ｄｉｒｅｃｔ Ｒａｍｂｕｓ ＲＡＭ、ＤＲ ＲＡＭ )等であってもよいことが理解されるべきである。すなわち、本明細書に記載のシステム及び方法のメモリは、これら及び任意の他の適切なタイプのメモリを含むことを意図しているが、これらに限定されない。
【０１０７】
最後に、本出願の実施例及び添付の特許請求の範囲で使用される用語は、特定の実施例を説明する目的のためのみであり、本出願の実施例を限定することを意図していないことに留意されたい。
【０１０８】
例えば、本出願の実施例および添付の特許請求の範囲で使用される単数形「１つ」、「前記」、「上記」、および「該」は、文脈が他の意味を明確に示さない限り、複数形も含むことを意図している。
【０１０９】
また、例えば、文脈に応じて、本明細書で使用される「……で」という用語は、「もし」または「……の場合」または「決定に応答して」または「検出に応答して」と解釈され得る。同様に、文脈に応じて、「決定された場合」または「検出された場合(条件または事象の提示された場合)」という句は、「決定された場合」または「決定された場合に応答する」または「検出された場合(条件または事象の提示された場合)」として解釈され得る。
【０１１０】
当業者は、本明細書に開示される実施例に関連して説明される様々な例のユニットおよびアルゴリズムステップが、電子ハードウェア、またはコンピュータソフトウェアと電子ハードウェアとの組合せで実装され得ることを認識するであろう。これらの機能は、技術案の特定の適用例および設計制約に応じて、ハードウェアまたはソフトウェアのいずれで実行されるかに依存する。当業者は、説明された機能を実施するために、特定のアプリケーションごとに異なる方法を使用することができるが、そのような実施は、本願の実施例の範囲から逸脱するものと考えられるべきではない。
【０１１１】
当業者であれば、説明の便宜及び簡潔にするために、上記に説明されたシステム、装置及びユニットの特定の動作プロセスが、前述の方法の実施例における対応するプロセスを参照してよく、ここでその説明が省略されることを理解するであろう。
【０１１２】
本明細書で提供されるいくつかの実施例では、開示されるシステム、装置、および方法は、他の方法で実現されてもよいことが理解されるべきである。例えば、上記の装置の実施例は、単に例示的なものであり、例えば、ユニットの分割は、１つの論理的機能の分割にすぎず、実際の実装では、別の分割方法があり得、例えば、複数のユニット又はコンポーネントが組み合わされてもよいし、別のシステムに統合されてもよいし、又はいくつかの特徴が省略されてもよいし、又は実行されなくてもよい。別の点では、表示または議論される相互間の結合または直接的な結合または通信接続は、何らかのインターフェース、デバイスまたはユニットを介した間接的な結合または通信接続であってもよく、電気的、機械的、または他の形態であってもよい。
【０１１３】
上記分離手段として説明したユニットは、物理的に分離していてもいなくてもよく、ユニットとして表示する手段は、物理的なユニットであってもなくてもよく、１箇所にあってもよく、あるいは複数のネットワークユニットに分散していてもよい。また、本願の各実施の形態における各手段の一部又は全部を、実際の要求に応じて選択して実施してもよい。
【０１１４】
また、本願の実施例における各機能部は、１つの処理部に集積されてもよいし、各部は物理的に別個に存在してもよいし、２つ以上の部が１つの部に集積されてもよい。
【０１１５】
ソフトウェア機能単位で実現され、独立した製品として販売又は使用される場合、コンピュータ読み取り可能な記録媒体に格納されてもよい。このような理解に基づいて、本願の実施例の技術的解決策の本質または従来技術に寄与する部分、または技術的解決策の部分は、１つのコンピュータデバイス(パーソナルコンピュータ、サーバ、またはネットワークデバイスなどであり得る)に本願の実施例の方法のステップの全てまたは一部を実行させるための複数の命令を含む１つの記憶媒体に記憶されたソフトウェア製品の形態で具現化され得る。また、前記記憶媒体としては、U-ディスク、リムーバブルハードディスク、リードオンリメモリ、ランダムアクセスメモリ、磁気ディスク、光ディスク等のプログラムコードを記憶できる種々の媒体を用いることができる。
【０１１６】
以上、本願の実施例の具体的な実施例について説明したが、本願の実施例の保護範囲はこれに限定されるものではなく、本願の実施例で開示した技術的範囲内で当業者であれば容易に想到することができる変更または置換を本願の実施例の保護範囲内に含むものとする。したがって、本願の実施例の保護範囲は、特許請求の範囲の保護範囲を基準とするべきである。
【図１】
2021516478.tif 000003
【図２】
2021516478.tif 000004
【図３】
2021516478.tif 000005
【図４】
2021516478.tif 000006
【図５】
2021516478.tif 000007
【図６】
2021516478.tif 000008
【手続補正書】
【提出日】令和2年12月22日(2020.12.22)
【手続補正１】
【補正対象書類名】明細書
【補正対象項目名】全文
【補正方法】変更
【補正の内容】
【発明の詳細な説明】
【技術分野】
【０００１】
本願の実施例は、通信分野に関し、具体的に、タイマーに基づく帯域幅部分の切り替え方法、端末デバイス及びネットワークデバイスに関する。
【背景技術】
【０００２】
３ＧＰＰ ( Ｔｈｅ３ ｒｄ Ｇｅｎｅｒａｔｉｏｎ Ｐａｒｔｎｅｒｓｈｉｐ Ｐｒｏｊｅｃｔ)無線アクセスネットワーク( Ｒａｄｉｏ Ａｃｃｅｓｓ Ｎｅｔｗｏｒｋ、ＲＡＮ ) ２の１００回の会議において、メディアアクセス制御（Ｍｅｄｉａ Ａｃｃｅｓｓ Ｃｏｎｔｒｏｌ、ＭＡＣ）層に帯域幅部分非アクティブ化タイマー( Ｂａｎｄｗｉｄｔｈ Ｐａｒｔ ｔｉｍｅｒ、ＢＷＰ ｔｉｍｅｒ )が導入され、このＢＷＰ  ｔｉｍｅｒは、非デフォルト下りＢＷＰごとに構成されてよく、その役割は、ＵＥを現在アクティブ化されている非デフォルトＢＷＰからデフォルトＢＷＰまたは初期ＢＷＰに切り替えることで、エネルギー消費を節約する。具体的には、ＢＷＰ ｔｉｍｅｒの動作に関して、現在のＭＡＣプロトコル( ＴＳ３８．３２１ )では、以下のように規定されている
起動または再開条件として、下り割り当てをスケジューリングする物理下りリンク制御チャネル( Ｐｈｙｓｉｃａｌ Ｄｏｗｎｌｉｎｋ Ｃｏｎｔｒｏｌ Ｃｈａｎｎｅｌ、ＰＤＣＣＨ )を受信するか、またはＢＷＰを切り替えるＰＤＣＣＨを受信する。
【０００３】
停止条件として、ランダムアクセス ( Ｒａｎｄｏｍ Ａｃｃｅｓｓ )手順を開始する。
【０００４】
タイムアウトの動作として、現在アクティブ化されているＢＷＰをデフォルト下りＢＷＰ、または初期ＢＷＰに切り替える。
【０００５】
また、ＲＡＮ２＃１００会議では、半永久的スケジューリング( Ｓｅｍｉ−Ｐｅｒｓｉｓｔｅｎｔ Ｓｃｈｅｄｕｌｉｎｇ、ＳＰＳ )は、無線リソース制御( Ｒａｄｉｏ Ｒｅｓｏｕｒｃｅ Ｃｏｎｔｒｏｌ、ＲＲＣ )によって、いくつかの基本パラメータ(例えば、周期)を先に設定し、その後、ＳＰＳ−ＲＮＴＩ ＰＤＣＣＨによって、ＳＰＳリソースをアクティブ化または非アクティブ化することができ、アクティブ化後にのみ、ユーザデバイス( Ｕｓｅｒ Ｅｑｕｉｐｍｅｎｔ、ＵＥ )は、ＳＰＳリソース上での下り伝送を受信することができることも規定されている。しかし、現在アクティブ化されている下りＢＷＰが切替える場合、ＭＡＣの観点からは、その対応するＳＰＳリソースをクリアする必要がある。
【０００６】
これにより、ＳＰＳリソースのアクティブ化後にＢＷＰ ｔｉｍｅｒがタイムアウトすると、ＵＥは、デフォルトの下りＢＷＰまたは初期ＢＷＰに切替、この場合、前にアクティブ化された下りＢＷＰでのＳＰＳ伝送が中断されてしまう。
【発明の概要】
【０００７】
本願は、タイマーに基づく帯域幅部分の切り替え方法、端末デバイス及びネットワークデバイスを提供する。帯域幅部分の切替える時にデータ伝送が中断されるという課題を解決することができる。
【０００８】
第１の態様は、タイマーに基づく帯域幅部分の切り替え方法を提供し、端末デバイスに応用され、前記端末デバイスの現在のサービングセルに帯域幅部分ＢＷＰ及び非動的スケジューリングリソースが構成されており、現在アクティブ化されている帯域幅部分ＢＷＰにＢＷＰ非アクティブ化タイマーが構成されており、
前記方法は、
前記端末デバイスが指示情報を受信した後、前記ＢＷＰ非アクティブ化タイマーを停止、開始又は調整するかどうかを決定することを含み、前記指示情報は、前記端末デバイスが前記非動的スケジューリングリソースをアクティブ化又は非アクティブ化するように指示する。
【０００９】
本願の実施例では、端末デバイスが端末デバイスの現在のサービングセルのために構成された非動的スケジューリングリソースをアクティブ化又は非アクティブ化することを指示する指示情報を受信した後に、ＢＷＰ非アクティブ化タイマーを停止、起動又は調整するかを決定することによって、帯域幅が切り替わる際にデータ伝送が中断される問題を回避することができる。
【００１０】
いくつかの実施可能な形態において、前記端末デバイスが指示情報を受信した後、前記ＢＷＰ非アクティブ化タイマーを停止、開始又は調整するかどうかを決定することは、
前記端末デバイスが、構成スケジューリング−無線ネットワーク一時識別子ＣＳ−ＲＮＴＩを利用してスクランブルされた物理下り制御チャネルＰＤＣＣＨを受信した後、前記ＢＷＰ非アクティブ化タイマーを停止、開始又は調整するかどうかを決定することを含み、ここで、前記ＰＤＣＣＨは、前記端末デバイスが前記非動的スケジューリングリソースをアクティブ化又は非アクティブ化するように指示する。
【００１１】
いくつかの実施可能な形態において、前記端末デバイスが指示情報を受信した後、前記ＢＷＰ非アクティブ化タイマーを停止、開始又は調整するかどうかを決定することは、
前記端末デバイスが無線リソース制御ＲＲＣ再構成メッセージを受信した後、前記ＢＷＰ非アクティブ化タイマーを停止、開始又は調整するかどうかを決定することを含み、ここで、前記ＲＲＣ再構成メッセージが前記指示情報を含む。
【００１２】
いくつかの実施可能な形態において、前記ＢＷＰ非アクティブ化タイマーを停止、開始又は調整するかどうかを決定することは、
前記端末デバイスが第１の条件を満たす場合、前記ＢＷＰ非アクティブ化タイマーを停止又は調整すると決定することを含み、前記第１の条件は、前記端末デバイスが前記指示情報を取得した後に前記ＢＷＰ非アクティブ化タイマーを停止又は調整するかどうかを判断する基準である。
【００１３】
いくつかの実施可能な形態において、前記端末デバイスが第１の条件を満たす場合、前記ＢＷＰ非アクティブ化タイマーを停止又は調整すると決定することは、
前記端末デバイスが、前記指示情報が前記端末デバイスが前記非動的スケジューリングリソースをアクティブ化するように指示すると決定する場合、前記ＢＷＰ非アクティブ化タイマーを停止又は調整すると決定することを含む。
【００１４】
いくつかの実施可能な形態において、前記端末デバイスが、前記指示情報が前記端末デバイスが前記非動的スケジューリングリソースをアクティブ化するように指示すると決定する場合、前記ＢＷＰ非アクティブ化タイマーを停止又は調整すると決定することは、
前記端末デバイスが、前記ＰＤＣＣＨのハイブリッド自動再送要求ＨＡＲＱ情報における新しいデータインデックスＮＤＩが０であり、前記指示情報が前記端末デバイスが前記非動的スケジューリングリソースをアクティブ化するように指示すると決定する場合、前記ＢＷＰ非アクティブ化タイマーを停止又は調整すると決定することを含む。
【００１５】
いくつかの実施可能な形態において、前記ＢＷＰ非アクティブ化タイマーを停止、開始又は調整するかどうかを決定することは、
前記端末デバイスが第２の条件を満たす場合、前記ＢＷＰ非アクティブ化タイマーを開始、再開又は調整すると決定することを含み、前記第２の条件は、前記端末デバイスが前記指示情報を取得した後に前記ＢＷＰ非アクティブ化タイマーを開始、再開又は調整するかどうかを判断する基準である。
【００１６】
いくつかの実施可能な形態において、前記端末デバイスが第２の条件を満たす場合、前記ＢＷＰ非アクティブ化タイマーを開始、再開又は調整すると決定することは、
前記端末デバイスが、前記指示情報が前記端末デバイスが前記非動的スケジューリングリソースを非アクティブ化するよう指示すると決定する場合、前記ＢＷＰ非アクティブ化タイマーを開始、再開又は調整すると決定することを含む。
【００１７】
いくつかの実施可能な形態において、前記端末デバイスが、前記指示情報が前記端末デバイスが前記非動的スケジューリングリソースを非アクティブ化するよう指示すると決定する場合、前記ＢＷＰ非アクティブ化タイマーを開始、再開又は調整すると決定することは、
前記端末デバイスが、前記ＰＤＣＣＨのハイブリッド自動再送要求ＨＡＲＱ情報における新しいデータインデックスＮＤＩが０であり、前記指示情報が前記端末デバイスが前記非動的スケジューリングリソースを非アクティブ化するように指示すると決定する場合、前記ＢＷＰ非アクティブ化タイマーを開始又は再開することを含む。
【００１８】
いくつかの実施可能な形態において、前記非動的スケジューリングリソースは、
ペアリングスペクトル上の下り非動的スケジューリングリソース、非ペアリングスペクトル上の下り非動的スケジューリングリソース、及び非ペアリングスペクトル上の上り非動的スケジューリングリソースのうちの少なくとも１つを含む。
【００１９】
いくつかの実施可能な形態において、前記端末デバイスにデフォルトＢＷＰが構成されており、前記現在アクティブ化されているＢＷＰが非デフォルトＢＷＰである。
【００２０】
いくつかの実施可能な形態において、前記端末デバイスにデフォルトＢＷＰが構成されず、前記現在アクティブ化されているＢＷＰが非初期ＢＷＰである。
【００２１】
第２の態様は、タイマーに基づく帯域幅部分の切り替え方法を提供し、
ネットワークデバイスが指示情報を生成することと、
前記ネットワークデバイスが前記端末デバイスに前記指示情報を送信することとを含み、前記指示情報は、端末デバイスが前記端末デバイスの現在のサービングセルに構成された非動的スケジューリングリソースをアクティブ化又は非アクティブ化するように指示する。
【００２２】
いくつかの実施可能な形態において、前記ネットワークデバイスが前記端末デバイスに前記指示情報を送信することは、
前記ネットワークデバイスが構成スケジューリング−無線ネットワーク一時識別子ＣＳ−ＲＮＴＩを利用してスクランブルされた物理下り制御チャネルＰＤＣＣＨを前記端末デバイスに送信することを含み、前記ＰＤＣＣＨは、前記端末デバイスが前記非動的スケジューリングリソースをアクティブ化又は非アクティブ化するように指示する。
【００２３】
いくつかの実施可能な形態において、前記ネットワークデバイスが前記端末デバイスに前記指示情報を送信することは、
前記ネットワークデバイスが前記端末デバイスに無線リソース制御ＲＲＣ再構成メッセージを送信することを含み、前記ＲＲＣ再構成メッセージが前記指示情報を含む。
【００２４】
いくつかの実施可能な形態において、前記非動的スケジューリングリソースは、
ペアリングスペクトル上の下り非動的スケジューリングリソース、非ペアリングスペクトル上の下り非動的スケジューリングリソース、及び非ペアリングスペクトル上の上り非動的スケジューリングリソースのうちの少なくとも１つを含む。
【００２５】
いくつかの実施可能な形態において、前記端末デバイスにデフォルトＢＷＰが構成されており、前記現在アクティブ化されているＢＷＰが非デフォルトＢＷＰである。
【００２６】
いくつかの実施可能な形態において、前記端末デバイスにデフォルトＢＷＰが構成されず、前記現在アクティブ化されているＢＷＰが非初期ＢＷＰである。
【００２７】
第３の態様は、端末デバイスを提供し、前記端末デバイスの現在のサービングセルに帯域幅部分ＢＷＰ及び非動的スケジューリングリソースが構成されており、現在アクティブ化されている帯域幅部分ＢＷＰにＢＷＰ非アクティブ化タイマーが構成されており、
前記端末デバイスは、受信ユニット及び処理ユニットを含み、
受信ユニットは、指示情報を受信するように構成され、
処理ユニットは、前記受信ユニットが前記指示情報を受信した後、前記ＢＷＰ非アクティブ化タイマーを停止、開始又は調整するかどうかを決定するように構成され、前記指示情報は、前記端末デバイスが前記非動的スケジューリングリソースをアクティブ化又は非アクティブ化するように指示する。
【００２８】
第４の態様は、端末デバイスを提供し、前記端末デバイスの現在のサービングセルに帯域幅部分ＢＷＰ及び非動的スケジューリングリソースが構成されており、現在アクティブ化されている帯域幅部分ＢＷＰにＢＷＰ非アクティブ化タイマーが構成されており、
前記端末デバイスは、送受信機及びプロセッサを含み、
送受信機は、指示情報を受信するように構成され、
プロセッサは、前記受信ユニットが前記指示情報を受信した後、前記ＢＷＰ非アクティブ化タイマーを停止、開始又は調整するかどうかを決定するように構成され、前記指示情報は、前記端末デバイスが前記非動的スケジューリングリソースをアクティブ化又は非アクティブ化するように指示する。
【００２９】
第５の態様は、ネットワークデバイスを提供し、生成ユニット及び送信ユニットを含み、
生成ユニットは、指示情報を生成するように構成され、前記指示情報は、端末デバイスが前記端末デバイスの現在のサービングセルに構成された非動的スケジューリングリソースをアクティブ化又は非アクティブ化するように指示し、
送信ユニットは、前記端末デバイスに前記指示情報を送信するように構成される。
【００３０】
第６の態様は、ネットワークデバイスを提供し、プロセッサ及び送受信機を含み、
プロセッサは、指示情報を生成するように構成され、前記指示情報は、端末デバイスが前記端末デバイスの現在のサービングセルに構成された非動的スケジューリングリソースをアクティブ化又は非アクティブ化するように指示し、
送受信機は、前記端末デバイスに前記指示情報を送信するように構成される。
【００３１】
第７の態様は、上記第１の態様または上記第２の態様の方法の実施例を実行するための命令を含むコンピュータプログラムを記憶するためのコンピュータ可読媒体を提供する。
【００３２】
第８の態様は、入力インタフェースと、出力インタフェースと、少なくとも１つのプロセッサと、メモリとを有するコンピュータチップを提供し、前記プロセッサは、前記メモリ内のコードを実行し、前記コードが実行された場合に、上記第１の態様によるタイマーに基づく帯域幅部分の切り替え方法の端末デバイスによる各処理を実現する。
【００３３】
第９の態様は、入力インタフェースと、出力インタフェースと、少なくとも１つのプロセッサと、メモリとを有するコンピュータチップを提供し、前記プロセッサは、前記メモリ内のコードを実行し、前記コードが実行された場合に、上記第２の態様によるタイマーに基づく帯域幅部分の切り替え方法のネットワークデバイスによる各処理を実現する。
【００３４】
第１０の発明は、上記端末デバイスとネットワークデバイスとを備えた通信システムである。
【図面の簡単な説明】
【００３５】
【図１】本願の応用シーンの例である。
【図２】本願の実施例におけるタイマーに基づく帯域幅部分の切り替え方法のフローチャートである。
【図３】本願の実施例における端末デバイスのブロック図である。
【図４】本願の実施例における他の端末デバイスのブロック図である。
【図５】本願の実施例におけるネットワークデバイスのブロック図である。
【図６】本願の実施例における他のネットワークデバイスのブロック図である。
【発明を実施するための形態】
【００３６】
図１は本願の応用シーンの模式図である。
【００３７】
図１に示すように、通信システム１００は、端末デバイス１１０と、ネットワークデバイス１２０とを含みうる。ネットワークデバイス１２０は、エアインターフェースを通じて端末デバイス１１０と通信し得る。端末デバイス１１０とネットワークデバイス１２０との間でマルチサービス伝送がサポートされる。
【００３８】
本願の実施例は、通信システム１００を例として説明するが、本願の実施例は、これに限定されないことを理解すべきである。すなわち、本願は、ロングタームエボリューション( Ｌｏｎｇ Ｔｅｒｍ  Ｅｖｏｌｕｔｉｏｎ、ＬＴＥ )システム、ＬＴＥ時分割複信( Ｔｉｍｅ Ｄｉｖｉｓｉｏｎ Ｄｕｐｌｅｘ、ＴＤＤ )、ユニバーサル移動通信システム( Ｕｎｉｖｅｒｓａｌ Ｍｏｂｉｌｅ Ｔｅｌｅｃｏｍｍｕｎｉｃａｔｉｏｎ Ｓｙｓｔｅｍ、ＵＭＴＳ )などの様々な通信システムに適用することができる。以下、説明の便宜上、本願の実施例では、第５世代移動体通信技術( ５Ｇ )新ポート( Ｎｅｗ Ｒａｄｉｏ ＮＲ )通信システムを例に説明する。
【００３９】
本願は、ネットワークデバイス及び端末デバイスに関連して様々な実施例を説明している。
【００４０】
ここで、ネットワークデバイス１２０は、ネットワーク側で信号を送信または受信するために使用される任意のエンティティを指し得る。例えば、マシンクラス通信( ＭＴＣ )のユーザ機器、ＬＴＥにおける発展型基地局( Ｅｖｏｌｕｔｉｏｎａｌ Ｎｏｄｅ Ｂ、ｅＮＢ又はｅＮｏｄｅＢ )、５Ｇネットワークにおける基地局機器等であってもよい。
【００４１】
また、端末デバイス１１０は、任意の端末デバイスであってよい。具体的には、端末デバイス１１０は、アクセス端末、ユーザデバイス( Ｕｓｅｒ Ｅｑｕｉｐｍｅｎｔ、ＵＥ )、ユーザ機器、ユーザ局、移動局、リモート端末、モバイルデバイス、ユーザ端末、ワイヤレス通信デバイス、ユーザエージェント、またはユーザ装置とも呼ばれ得、１つまたは複数のコアネットワーク( Ｃｏｒｅ Ｎｅｔｗｏｒｋ )と、ワイヤレスアクセスネットワーク( Ｒａｄｉｏ Ａｃｃｅｓｓ Ｎｅｔｗｏｒｋ、ＲＡＮ )を介して通信し得る。例えば、携帯電話、コードレス電話、セッション開始プロトコル( Ｓｅｓｓｉｏｎ Ｉｎｉｔｉａｔｉｏｎ Ｐｒｏｔｏｃｏｌ、ＳＩＰ )電話、ワイヤレスローカルループ( Ｗｉｒｅｌｅｓｓ Ｌｏｃａｌ Ｌｏｏｐ、ＷＬＬ )局、パーソナルデジタル処理( Ｐｅｒｓｏｎａｌ Ｄｉｇｉｔａｌ Ａｓｓｉｓｔａｎｔ、ＰＤＡ )、ワイヤレス通信機能を有するハンドヘルドデバイス、コンピューティングデバイス、またはワイヤレスモデムに接続された他の処理デバイス、車載デバイス、ウェアラブルデバイス、および５Ｇネットワークにおける端末デバイスなどであり得る。
【００４２】
なお、このＢＷＰは、全てサービングセル( ｓｅｒｖｉｎｇ ｃｅｌｌ )に対して構成されてよく、１つのｓｅｒｖｉｎｇ ｃｅｌｌは、最大４つの下りＢＷＰと最大４つの上りＢＷＰとが配置されることができる。
【００４３】
また、本願の実施例において、この端末デバイス１１０の現在のサービングセルにＢＷＰが構成され、現在アクティブ化されている帯域幅部分ＢＷＰにＢＷＰ非アクティブ化タイマーが構成されてもよい。なお、このＢＷＰ非アクティブ化タイマーは、非デフォルトの下りＢＷＰごとに構成されてよく、その機能は、ＵＥを現在アクティブ化される非デフォルトのＢＷＰからデフォルトＢＷＰまたは初期ＢＷＰに切り替えることで、エネルギー消費を節約する。
【００４４】
具体的には、ＢＷＰ ｔｉｍｅｒの動作に関して、現在のＭＡＣプロトコル( TS３８.３２１ )では、以下のように規定されている
起動または再開条件として、下り割り当てをスケジューリング物理下りリンク制御チャネル( Ｐｈｙｓｉｃａｌ Ｄｏｗｎｌｉｎｋ Ｃｏｎｔｒｏｌ Ｃｈａｎｎｅｌ、ＰＤＣＣＨ )を受信するか、またはＢＷＰを切り替えるＰＤＣＣＨを受信する。
【００４５】
停止条件として、ランダムアクセス ( Ｒａｎｄｏｍ Ａｃｃｅｓｓ )手順を開始する。
【００４６】
タイムアウトの動作として、現在アクティブ化されているＢＷＰをデフォルト下りＢＷＰ、または初期ＢＷＰに切り替える。
【００４７】
なお、この端末デバイス１１０の現在のサービングセルに対して非動的スケジューリングリソースが構成されてもよい。
【００４８】
なお、この非動的スケジューリングリソースは、下り半永久的スケジューリング( Ｓｅｍｉ−Ｐｅｒｓｉｓｔｅｎｔ Ｓｃｈｅｄｕｌｉｎｇ、ＳＰＳ )リソース、上り構成グラント( ｃｏｎｆｉｇｕｒｅｄ ｇｒａｎｔ )リソースを含み、ここで、上りｃｏｎｆｉｇｕｒｅｄ ｇｒａｎｔはタイプ１により構成されるグラントリソース( ｔｙｐｅ１ ｃｏｎｆｉｇｕｒｅｄ ｇｒａｎｔ )とタイプ２により構成されるグラントリソース( ｔｙｐｅ２ ｃｏｎｆｉｇｕｒｅｄ ｇｒａｎｔ )を含み、相違点として、ｔｙｐｅ１ ｃｏｎｆｉｇｕｒｅｄ ｇｒａｎｔはＲＲＣのみによって構成され、ｔｙｐｅ２ ｃｏｎｆｉｇｕｒｅｄ ｇｒａｎｔはＲＲＣによって１つの周期が構成され、他の時間領域リソースは下り制御情報( Ｄｏｗｎｌｉｎｋ Ｃｏｎｔｒｏｌ Ｉｎｆｏｒｍａｔｉｏｎ、ＤＣＩ )によって示されると同時にＤＣＩアクティブ化や非アクティブ化もサポートする。
【００４９】
ここで、半永久的スケジューリング( Ｓｅｍｉ−Ｐｅｒｓｉｓｔｅｎｔ Ｓｃｈｅｄｕｌｉｎｇ、ＳＰＳ )リソースについては、そのＲＲＣ構成は、ＢＷＰに基づいてもよく、即ち、一つの端末が一つのサービングセル( ｓｅｒｖｉｎｇ ｃｅｌｌ )上にｎ個の下りＢＷＰを有する場合、理論的には、下りＢＷＰ毎に一つの対応するＳＰＳ ＲＲＣ構成があってもよい。
【００５０】
具体的には、半永久的スケジューリング( Ｓｅｍｉ−Ｐｅｒｓｉｓｔｅｎｔ Ｓｃｈｅｄｕｌｉｎｇ、ＳＰＳ )は、無線リソース制御( Ｒａｄｉｏ Ｒｅｓｏｕｒｃｅ Ｃｏｎｔｒｏｌ、ＲＲＣ )によって、いくつかの基本パラメータ(例えば、周期)を最初に構成し、その後、スケジューリング無線ネットワーク一時識別子( Ｃｏｎｆｉｇｕｒｅｄ−ｓｃｈｅｄｕｌｉｎｇ Ｒａｄｉｏ Ｎｅｔｗｏｒｋ Ｔｅｍｐｏｒａｒｙ Ｉｄｅｎｔｉｆｉｅｒ、ＣＳ−ＲＮＴＩ ) ＰＤＣＣＨを構成することによってＳＰＳリソースをアクティブ化又は非アクティブ化することができ、アクティブ化後にのみ、ＵＥは、ＳＰＳリソース上での下り伝送を受信することができる。
【００５１】
しかし、現在アクティブ化されている下りＢＷＰが切替える場合、ＭＡＣの観点からは、その対応するＳＰＳリソースをクリアする必要がある。
【００５２】
これにより、ＳＰＳリソースのアクティブ化後にＢＷＰ ｔｉｍｅｒがタイムアウトすると、ＵＥは、デフォルトの下りＢＷＰまたは初期ＢＷＰに切り替えることが見出され、この場合、前にアクティブ化された下りＢＷＰでのＳＰＳ伝送が中断される。
【００５３】
そこで、本願の実施例では、帯域幅部分を切り替える際にデータの伝送が中断されてしまう問題を解決することができるタイマーに基づく帯域幅部分の切り替え方法を提供する。
【００５４】
図２は本願の実施例におけるタイマーに基づく帯域幅部分の切り替え方法のフローチャートである。
【００５５】
具体的に、図２に示すように、この方法は、以下のスッテプを含み、
２１０において、ネットワークデバイスが指示情報を生成し、該指示情報は、端末デバイスが、該端末デバイスの現在のサービングセルに構成された非動的スケジューリングリソースをアクティブ化又は非アクティブ化するために使用される。
【００５６】
２２０において、該ネットワークデバイスが該端末デバイスに該指示情報を送信する。
【００５７】
２３０において、該端末デバイスは、該指示情報を受信した後、ＢＷＰ非アクティブ化タイマーを停止、開始又は調整するかどうかを決定する。
【００５８】
つまり、ネットワークデバイスが指示情報を生成し、該ネットワークデバイスが該端末デバイスに該指示情報を送信する。これにより、該端末デバイスは、指示情報を受信した後、ＢＷＰ非アクティブ化タイマーを停止、開始又は調整するかどうかを決定する。
【００５９】
なお、本願の実施例のタイマーに基づく帯域幅部分の切り替え方法が端末デバイスに応用され、該端末デバイスの現在のサービングセルにＢＷＰ及び非動的スケジューリングリソースが構成されており、現在アクティブ化しているＢＷＰにＢＷＰ非アクティブ化タイマーが構成されている。
【００６０】
本願の実施例において、端末デバイスが、端末デバイスの現在のサービングセルのために構成された非動的スケジューリングリソースをアクティブ化又は非アクティブ化することを示す指示情報を受信した後、ＢＷＰ非アクティブ化タイマを停止、起動又は調整するかを決定することにより、帯域幅の切替え時にデータ伝送が中断される問題を回避することができることが分かる。
【００６１】
以下、本願の実施例における指示情報の例示的な説明を行う。
【００６２】
ある実施例において、該端末デバイスは、ＣＳ−ＲＮＴＩを利用してスクランブルされたＰＤＣＣＨを受信した後、該ＢＷＰ非アクティブ化タイマーを停止、開始又は調整するかどうかを決定し、ここで、該ＰＤＣＣＨは、該端末デバイスが該非動的スケジューリングリソースをアクティブ化又は非アクティブ化するように指示する。つまり、該ネットワークデバイスが該端末デバイスにＣＳ−ＲＮＴＩを利用してスクランブルされたＰＤＣＣＨを送信する。
【００６３】
他の実施例において、該端末デバイスは、無線リソース制御ＲＲＣ再構成メッセージを受信した後、該ＢＷＰ非アクティブ化タイマーを停止、開始又は調整するかどうかを決定し、ここで、該ＲＲＣ再構成メッセージが該指示情報を含む。つまり、該ネットワークデバイスが該端末デバイスに無線リソース制御ＲＲＣ再構成メッセージを送信する。
【００６４】
なお、上記実施例における指示情報の形態は、あくまでも例示であり、本願は、これに限定されるものではない。
【００６５】
以下、本願の実施例において該端末デバイスが該指示情報を受信した後、ＢＷＰ非アクティブ化タイマーを停止、開始又は調整するかどうかを決定することを説明する。
【００６６】
任意選択で、該端末デバイスが第１の条件を満たす場合、該ＢＷＰ非アクティブ化タイマーを停止又は調整すると決定し、該第１の条件は、該端末デバイスが該指示情報を取得した後に該ＢＷＰ非アクティブ化タイマーを停止又は調整するかどうかを判断する基準である。
【００６７】
例えば、該端末デバイスは、該指示情報が該端末デバイスが該非動的スケジューリングリソースをアクティブ化するよう指示すると決定する場合、該ＢＷＰ非アクティブ化タイマーを停止又は調整すると決定する。
【００６８】
さらに、該端末デバイスは、該ＰＤＣＣＨのハイブリッド自動再送要求ＨＡＲＱ情報における新しいデータインデックス（Ｎｅｗ Ｄａｔａ Ｉｎｄｉｃａｔｏｒ、ＮＤＩ）が０であり、且つ、該指示情報が該端末デバイスが該非動的スケジューリングリソースをアクティブ化するように指示すると決定する場合、該ＢＷＰ非アクティブ化タイマーを停止又は調整すると決定する。
【００６９】
任意選択で、該端末デバイスは、第２の条件を満たす場合、該ＢＷＰ非アクティブ化タイマーを開始、再開又は調整すると決定し、該第２の条件は、該端末デバイスが該指示情報を取得した後に該ＢＷＰ非アクティブ化タイマーを開始、再開又は調整するかどうかを判断する基準である。
【００７０】
例えば、該端末デバイスは、該指示情報が該端末デバイスが該非動的スケジューリングリソースを非アクティブ化するように指示すると決定する場合、該ＢＷＰ非アクティブ化タイマーを開始、再開又は調整すると決定する。
【００７１】
さらに、該端末デバイスは、該ＰＤＣＣＨのハイブリッド自動再送要求ＨＡＲＱ情報における新しいデータインデックス（Ｎｅｗ Ｄａｔａ Ｉｎｄｉｃａｔｏｒ、ＮＤＩ）が０、且つ、該指示情報が該端末デバイスが該非動的スケジューリングリソースを非アクティブ化するように指示すると決定する場合、該ＢＷＰ非アクティブ化タイマーを開始又は再開する。
【００７２】
なお、該非動的スケジューリングリソースは、
ペアリングスペクトル上の下り非動的スケジューリングリソース、非ペアリングスペクトル上の下り非動的スケジューリングリソース、及び非ペアリングスペクトル上の上り非動的スケジューリングリソースのうちの少なくとも１つを含む。
【００７３】
例えば、ペアリングスペクトル（例えば、周波数分割複信（Ｆｒｅｑｕｅｎｃｙ Ｄｉｖｉｓｉｏｎ Ｄｕａｌ、ＦＤＤ）スペクトル）の場合、該指示情報は、該端末デバイスが該非動的スケジューリングリソースをアクティブ化するように指示し、該非動的スケジューリングリソースは、下り非動的スケジューリングリソースである。
【００７４】
また、例えば、非ペアリングスペクトル（例えば、時分割複信（Ｔｉｍｅ Ｄｉｖｉｓｉｏｎ Ｄｕｐｌｅｘｉｎｇ、ＴＤＤ）スペクトル）の場合、該指示情報は、該端末デバイスが該非動的スケジューリングリソースをアクティブ化するように指示し、該非動的スケジューリングリソースは、下り又は上り非動的スケジューリングリソースである。
【００７５】
また、例えば、ペアリングスペクトル（例えば、ＦＤＤスペクトル）、該指示情報は、該端末デバイスが該非動的スケジューリングリソースを非アクティブ化するように指示し、該非動的スケジューリングリソースは、下り非動的スケジューリングリソースである。
【００７６】
また、例えば、非ペアリングスペクトル（例えば、ＴＤＤスペクトル）の場合、該指示情報は、該端末デバイスが該非動的スケジューリングリソースを非アクティブ化するように指示し、該非動的スケジューリングリソースは、下り又は上り非動的スケジューリングリソースである。
【００７７】
なお、本願の実施例において、上記の第１の条件および第２の条件は、あくまでも例示であり、本願の実施例は、これらに限定されるものではない。
【００７８】
例えば、本願の実施例において、該端末デバイスにデフォルトＢＷＰがさらに構成されており、これにより、該第１の条件と該第２の条件とは、さらに、端末デバイスが該端末デバイスの現在アクティブ化されているＢＷＰを満たすことが非デフォルトＢＷＰであることを含む。
【００７９】
また、例えば、該端末デバイスにデフォルトＢＷＰが構成されなくてもよく、これにより、該第１の条件と該第２の条件とは、さらに、端末デバイスが該端末デバイスの現在アクティブ化されるＢＷＰを満たすことが非初期ＢＷＰであることを含む。
【００８０】
図３は本願の実施例における端末デバイス３００のブロック図である。なお、該端末デバイスの現在のサービングセルに帯域幅部分ＢＷＰ及び非動的スケジューリングリソースが構成されており、現在アクティブ化されている帯域幅部分ＢＷＰにＢＷＰ非アクティブ化タイマーが構成されておる。
【００８１】
具体的に、図３に示すように、該端末デバイス３００は、受信ユニット３１０及び処理ユニット３２０を含み、
受信ユニット３１０は、指示情報を受信するように構成され、
処理ユニット３２０は、該受信ユニット３１０が該指示情報を受信した後、該ＢＷＰ非アクティブ化タイマーを停止、開始又は調整するかどうかを決定し、該指示情報は、該端末デバイスが該非動的スケジューリングリソースをアクティブ化又は非アクティブ化するように指示する。
【００８２】
任意選択で、該処理ユニット３２０は、具体的に、
該受信ユニット３１０は、構成スケジューリング−無線ネットワーク一時識別子ＣＳ−ＲＮＴＩを利用してスクランブルされた物理下り制御チャネルＰＤＣＣＨを受信した後、該ＢＷＰ非アクティブ化タイマーを停止、開始又は調整するかどうかを決定し、ここで、該ＰＤＣＣＨは、該端末デバイスが該非動的スケジューリングリソースをアクティブ化又は非アクティブ化するように指示する。
【００８３】
任意選択で、該処理ユニット３２０は、具体的に、
該受信ユニット３１０は、無線リソース制御ＲＲＣ再構成メッセージを受信した後、該ＢＷＰ非アクティブ化タイマーを停止、開始又は調整するかどうかを決定し、ここで、該ＲＲＣ再構成メッセージが該指示情報を含む。
【００８４】
任意選択で、該処理ユニット３２０は、さらに、
第１の条件を満たす場合、該ＢＷＰ非アクティブ化タイマーを停止又は調整すると決定し、該第１の条件は、該端末デバイスが該指示情報を取得した後に該ＢＷＰ非アクティブ化タイマーを停止又は調整するかどうかを判断する基準である。
【００８５】
該処理ユニット３２０は、さらに、
該指示情報が該端末デバイスが該非動的スケジューリングリソースをアクティブ化するように指示する場合、該ＢＷＰ非アクティブ化タイマーを停止又は調整すると決定するように構成される。
【００８６】
任意選択で、該処理ユニット３２０は、さらに、
該ＰＤＣＣＨのハイブリッド自動再送要求ＨＡＲＱ情報における新しいデータインデックスＮＤＩが０であり、該指示情報が該端末デバイスが該非動的スケジューリングリソースをアクティブ化するように指示すると決定する場合、該ＢＷＰ非アクティブ化タイマーを停止又は調整すると決定するように構成される。
【００８７】
任意選択で、該処理ユニット３２０は、さらに、
第２の条件を満たす場合、該ＢＷＰ非アクティブ化タイマーを開始、再開又は調整すると決定するように構成され、該第２の条件は、該端末デバイスが該指示情報を取得した後に該ＢＷＰ非アクティブ化タイマーを開始、再開又は調整するかどうかを判断する基準である。
【００８８】
任意選択で、該処理ユニット３２０は、さらに、
該指示情報が該端末デバイスが該非動的スケジューリングリソースを非アクティブ化するように指示すると決定する場合、該ＢＷＰ非アクティブ化タイマーを開始、再開又は調整すると決定するように構成される。
【００８９】
該処理ユニット３２０は、さらに、
該ＰＤＣＣＨのハイブリッド自動再送要求ＨＡＲＱ情報における新しいデータインデックスＮＤＩが０であり、該指示情報が該端末デバイスが該非動的スケジューリングリソースを非アクティブ化するように指示すると決定する場合、該ＢＷＰ非アクティブ化タイマーを開始又は再開するように構成される。
【００９０】
任意選択で、該非動的スケジューリングリソースは、
ペアリングスペクトル上の下り非動的スケジューリングリソース、非ペアリングスペクトル上の下り非動的スケジューリングリソース、及び非ペアリングスペクトル上の上り非動的スケジューリングリソースのうちの少なくとも１つを含む。
【００９１】
任意選択で、該端末デバイスにデフォルトＢＷＰが構成され、現在アクティブ化されているＢＷＰが非デフォルトＢＷＰである。
【００９２】
任意選択で、該端末デバイスにデフォルトＢＷＰが構成されず、現在アクティブ化されているＢＷＰが非最初ＢＷＰである。
【００９３】
本願の実施例において、受信ユニット３１０は、送受信機によって実装されてもよく、処理ユニット４２０は、プロセッサによって実装されてもよい。図４に示すように、端末デバイス４００は、プロセッサ４１０、送受信機４２０、及びメモリ４３０を含む。ここで、メモリ４３０は、指示情報を記憶するために使用されてもよく、プロセッサ４１０が実行するコード、命令などを記憶するために使用されてもよい。端末デバイス４００内の各構成要素は、データバスの他に、電源バス、制御バス、ステータス信号バス等のバスシステムにより接続されている。
【００９４】
図４に示す端末デバイス４００は、前述の図２の方法の実施例における端末デバイスによって実施される様々なプロセスを実施することができ、重複を避けるためにここで説明を省略する。すなわち、本願の実施例における方法の実施例は、プロセッサおよび送受信機によって実装され得る。
【００９５】
図５は本願の実施例においてネットワークデバイス５００のブロック図である。
【００９６】
具体的に、図５に示すように、該ネットワークデバイス５００は、生成ユニット５１０及び送信ユニット５２０を含み、
生成ユニット５１０は、指示情報を生成するように構成され、該指示情報は、端末デバイスが、該端末デバイスの現在のサービングセルに構成された非動的スケジューリングリソースをアクティブ化又は非アクティブ化するように指示し、
送信ユニット５２０は、該端末デバイスに該指示情報を送信するように構成される。
【００９７】
任意選択で、該送信ユニット５２０は、具体的に、
構成スケジューリング−無線ネットワーク一時識別子ＣＳ−ＲＮＴＩを利用してスクランブルされた物理下り制御チャネルＰＤＣＣＨを該端末デバイスに送信するように構成され、該ＰＤＣＣＨは、該端末デバイスが該非動的スケジューリングリソースをアクティブ化又は非アクティブ化するように指示する。
【００９８】
送信ユニット５２０は、具体的に、
該端末デバイスに無線リソース制御ＲＲＣ再構成メッセージを送信するように構成され、該ＲＲＣ再構成メッセージが該指示情報を含む。
【００９９】
任意選択で、該非動的スケジューリングリソースは、
ペアリングスペクトル上の下り非動的スケジューリングリソース、非ペアリングスペクトル上の下り非動的スケジューリングリソース、及び非ペアリングスペクトル上の上り非動的スケジューリングリソースのうちの少なくとも１つを含む。
【０１００】
任意選択で、該端末デバイスにデフォルトＢＷＰが構成され、現在アクティブ化されているＢＷＰが非デフォルトＢＷＰである。
【０１０１】
任意選択で、該端末デバイスにデフォルトＢＷＰが構成されず、現在アクティブ化されているＢＷＰが非初期ＢＷＰである。
【０１０２】
本願の実施例において、生成ユニット５１０はプロセッサによって具現され、送信ユニット５２０は送受信機によって具現される。図６に示すように、ネットワークデバイス６００は、プロセッサ６１０、送受信機６２０、及びメモリ６３０を含み得る。ここで、メモリ６３０は、指示情報を記憶するために使用されてもよく、プロセッサ６１０が実行するコード、命令などを記憶するために使用されてもよい。ネットワークデバイス６００の各構成要素は、データバスの他に、電源バス、制御バス、ステータス信号バスなどのバスシステムによって接続されている。
【０１０３】
図６に示すネットワークデバイス６００は、前述の図２の方法の実施例におけるネットワークデバイスにより実施される様々なプロセスを実施することができ、重複を避けるためにここで説明を省略する。すなわち、本願の実施例における方法の実施例は、プロセッサおよび送受信機によって実装され得る。
【０１０４】
実施において、本願の実施例における方法の実施例のステップは、プロセッサにおけるハードウェアの集積論理回路またはソフトウェア形態の命令によって実行されてもよい。より具体的には、本願の実施例に関連して開示される方法のステップは、ハードウェアデコーディングプロセッサ実行として直接的に、または、デコーディングプロセッサ内のハードウェアおよびソフトウェアモジュールの組み合わせで実行されるとして具現化され得る。ソフトウェアモジュールは、ランダムアクセスメモリ、フラッシュメモリ、読み取り専用メモリ、プログラム可能読み取り専用メモリ、または電気的に消去可能なプログラム可能メモリ、レジスタなどの当該技術分野における成熟した記憶媒体内に配置され得る。この記憶媒体は、メモリに位置し、プロセッサは、メモリ内の情報を読み取り、ハードウェアとともに上述した方法のステップを実行する。
【０１０５】
本願の実施例において言及されるプロセッサは、本願の実施例において開示される様々な方法、ステップ、および論理ブロックを実装または実行することができる信号の処理能力を有する集積回路チップであり得ることが理解されるべきである。例えば、上記のプロセッサは、汎用プロセッサ、デジタル信号プロセッサ( ｄｉｇｉｔａｌ  ｓｉｇｎａｌ  ｐｒｏｃｅｓｓｏｒ、ＤＳＰ )、特定用途向け集積回路( ａｐｐｌｉｃａｔｉｏｎ ｓｐｅｃｉｆｉｃ ｉｎｔｅｇｒａｔｅｄ ｃｉｒｃｕｉｔ、ＡＳＩＣ )、既存のプログラマブルゲートアレイ( ｆｉｅｌｄ ｐｒｏｇｒａｍｍａｂｌｅ ｇａｔｅ ａｒｒａｙ、ＦＰＧＡ )又は他のプログラマブル論理デバイス、トランジスタロジック、ディスクリートハードウェアコンポーネント等であり得る。また、汎用プロセッサはマイクロプロセッサであってもよく、プロセッサは汎用のプロセッサ等であればよい。
【０１０６】
また、本願の実施例で言及されるメモリは、揮発性メモリまたは不揮発性メモリであってもよく、揮発性メモリと不揮発性メモリの両方を含んでもよい。ここで、不揮発性メモリは、リードオンリーメモリ( ｒｅａｄ−ｏｎｌｙ ｍｅｍｏｒｙ、ＲＯＭ )、プログラマブルリードオンリーメモリ( ｐｒｏｇｒａｍｍａｂｌｅ ＲＯＭ、ＰＲＯＭ )、消去可能プログラマブルリードオンリーメモリ( ｅｒａｓａｂｌｅ ＰＲＯＭ、ＥＰＲＯＭ )、電気的消去可能プログラマブルリードオンリーメモリ( ｅｌｅｃｔｒｉｃａｌｌｙ ＥＰＲＯＭ、ＥＥＰＲＯＭ )、またはフラッシュメモリであってもよい。揮発性メモリは、外部キャッシュとして使用されるランダムアクセスメモリ( ｒａｎｄｏｍ ａｃｃｅｓｓ ｍｅｍｏｒｙ、ＲＡＭ )であってよい。上述のメモリは、限定ではなく例示的であるが、例えば、本願の実施例におけるメモリは、スタティックランダムアクセスメモリ( ｓｔａｔｉｃ ＲＡＭ、ＳＲＡＭ )、ダイナミックランダムアクセスメモリ( ｄｙｎａｍｉｃ ＲＡＭ、ＤＲＡＭ )、同期ダイナミックランダムアクセスメモリ( ｓｙｎｃｈｒｏｎｏｕｓ ＤＲＡＭ、ＳＤＲＡＭ )、デュアルデータレート同期ダイナミックランダムアクセスメモリ( ｄｏｕｂｌｅ ｄａｔａ ｒａｔｅ ＳＤＲＡＭ、ＤＤＲ ＳＤＲＡＭ )、拡張同期ダイナミックランダムアクセスメモリ( ｅｎｈａｎｃｅｄ ＳＤＲＡＭ、ＥＳＤＲＡＭ )、同期接続ダイナミックランダムアクセスメモリ( ｓｙｎｃｈ ｌｉｎｋ ＤＲＡＭ、ＳＬＤＲＡＭ )、及びダイレクトメモリバスランダムアクセスメモリ( Ｄｉｒｅｃｔ Ｒａｍｂｕｓ ＲＡＭ、ＤＲ ＲＡＭ )等であってもよいことが理解されるべきである。すなわち、本明細書に記載のシステム及び方法のメモリは、これら及び任意の他の適切なタイプのメモリを含むことを意図しているが、これらに限定されない。
【０１０７】
最後に、本出願の実施例及び添付の特許請求の範囲で使用される用語は、特定の実施例を説明する目的のためのみであり、本出願の実施例を限定することを意図していないことに留意されたい。
【０１０８】
例えば、本出願の実施例および添付の特許請求の範囲で使用される単数形「１つ」、「前記」、「上記」、および「該」は、文脈が他の意味を明確に示さない限り、複数形も含むことを意図している。
【０１０９】
また、例えば、文脈に応じて、本明細書で使用される「……で」という用語は、「もし」または「……の場合」または「決定に応答して」または「検出に応答して」と解釈され得る。同様に、文脈に応じて、「決定された場合」または「検出された場合(条件または事象の提示された場合)」という句は、「決定された場合」または「決定された場合に応答する」または「検出された場合(条件または事象の提示された場合)」として解釈され得る。
【０１１０】
当業者は、本明細書に開示される実施例に関連して説明される様々な例のユニットおよびアルゴリズムステップが、電子ハードウェア、またはコンピュータソフトウェアと電子ハードウェアとの組合せで実装され得ることを認識するであろう。これらの機能は、技術案の特定の適用例および設計制約に応じて、ハードウェアまたはソフトウェアのいずれで実行されるかに依存する。当業者は、説明された機能を実施するために、特定のアプリケーションごとに異なる方法を使用することができるが、そのような実施は、本願の実施例の範囲から逸脱するものと考えられるべきではない。
【０１１１】
当業者であれば、説明の便宜及び簡潔にするために、上記に説明されたシステム、装置及びユニットの特定の動作プロセスが、前述の方法の実施例における対応するプロセスを参照してよく、ここでその説明が省略されることを理解するであろう。
【０１１２】
本明細書で提供されるいくつかの実施例では、開示されるシステム、装置、および方法は、他の方法で実現されてもよいことが理解されるべきである。例えば、上記の装置の実施例は、単に例示的なものであり、例えば、ユニットの分割は、１つの論理的機能の分割にすぎず、実際の実装では、別の分割方法があり得、例えば、複数のユニット又はコンポーネントが組み合わされてもよいし、別のシステムに統合されてもよいし、又はいくつかの特徴が省略されてもよいし、又は実行されなくてもよい。別の点では、表示または議論される相互間の結合または直接的な結合または通信接続は、何らかのインターフェース、デバイスまたはユニットを介した間接的な結合または通信接続であってもよく、電気的、機械的、または他の形態であってもよい。
【０１１３】
上記分離手段として説明したユニットは、物理的に分離していてもいなくてもよく、ユニットとして表示する手段は、物理的なユニットであってもなくてもよく、１箇所にあってもよく、あるいは複数のネットワークユニットに分散していてもよい。また、本願の各実施の形態における各手段の一部又は全部を、実際の要求に応じて選択して実施してもよい。
【０１１４】
また、本願の実施例における各機能部は、１つの処理部に集積されてもよいし、各部は物理的に別個に存在してもよいし、２つ以上の部が１つの部に集積されてもよい。
【０１１５】
ソフトウェア機能単位で実現され、独立した製品として販売又は使用される場合、コンピュータ読み取り可能な記録媒体に格納されてもよい。このような理解に基づいて、本願の実施例の技術的解決策の本質または従来技術に寄与する部分、または技術的解決策の部分は、１つのコンピュータデバイス(パーソナルコンピュータ、サーバ、またはネットワークデバイスなどであり得る)に本願の実施例の方法のステップの全てまたは一部を実行させるための複数の命令を含む１つの記憶媒体に記憶されたソフトウェア製品の形態で具現化され得る。また、前記記憶媒体としては、U-ディスク、リムーバブルハードディスク、リードオンリメモリ、ランダムアクセスメモリ、磁気ディスク、光ディスク等のプログラムコードを記憶できる種々の媒体を用いることができる。
【０１１６】
以上、本願の実施例の具体的な実施例について説明したが、本願の実施例の保護範囲はこれに限定されるものではなく、本願の実施例で開示した技術的範囲内で当業者であれば容易に想到することができる変更または置換を本願の実施例の保護範囲内に含むものとする。したがって、本願の実施例の保護範囲は、特許請求の範囲の保護範囲を基準とするべきである。
【手続補正２】
【補正対象書類名】特許請求の範囲
【補正対象項目名】全文
【補正方法】変更
【補正の内容】
【特許請求の範囲】
【請求項１】
端末デバイスに応用されるタイマーに基づく帯域幅部分の切り替え方法であって、
前記端末デバイスの現在のサービングセルに帯域幅部分ＢＷＰ及び非動的スケジューリングリソースが構成されており、現在アクティブ化されている帯域幅部分ＢＷＰにＢＷＰ非アクティブ化タイマーが構成されており、
前記方法は、
前記端末デバイスが指示情報を受信した後、前記ＢＷＰ非アクティブ化タイマーを停止、開始又は調整するかどうかを決定することを含み、
前記指示情報は、前記端末デバイスが前記非動的スケジューリングリソースをアクティブ化又は非アクティブ化するように指示する
ことを特徴とするタイマーに基づく帯域幅部分の切り替え方法。
【請求項２】
前記端末デバイスが指示情報を受信した後、前記ＢＷＰ非アクティブ化タイマーを停止、開始又は調整するかどうかを決定することは、
前記端末デバイスが、構成スケジューリング−無線ネットワーク一時識別子ＣＳ−Ｒ  ＴＩを利用してスクランブルされた物理下り制御チャネルＰＤＣＣＨを受信した後、前記ＢＷＰ非アクティブ化タイマーを停止、開始又は調整するかどうかを決定することを含み、前記ＰＤＣＣＨは、前記端末デバイスが前記非動的スケジューリングリソースをアクティブ化又は非アクティブ化するように指示する
ことを特徴とする請求項１に記載のタイマーに基づく帯域幅部分の切り替え方法。
【請求項３】
前記端末デバイスが指示情報を受信した後、前記ＢＷＰ非アクティブ化タイマーを停止、開始又は調整するかどうかを決定することは、
前記端末デバイスが無線リソース制御ＲＲＣ再構成メッセージを受信した後、前記ＢＷＰ非アクティブ化タイマーを停止、開始又は調整するかどうかを決定することを含み、前記ＲＲＣ再構成メッセージが前記指示情報を含む
ことを特徴とする請求項１に記載のタイマーに基づく帯域幅部分の切り替え方法。
【請求項４】
前記ＢＷＰ非アクティブ化タイマーを停止、開始又は調整するかどうかを決定することは、
前記端末デバイスが第１の条件を満たす場合、前記ＢＷＰ非アクティブ化タイマーを停止又は調整すると決定することを含み、
前記第１の条件は、前記端末デバイスが前記指示情報を取得した後に前記ＢＷＰ非アクティブ化タイマーを停止又は調整するかどうかを判断する基準である
ことを特徴とする請求項１〜３のいずれか１項に記載のタイマーに基づく帯域幅部分の切り替え方法。
【請求項５】
前記端末デバイスが第１の条件を満たす場合、前記ＢＷＰ非アクティブ化タイマーを停止又は調整すると決定することは、
前記端末デバイスが、前記指示情報が前記端末デバイスが前記非動的スケジューリングリソースをアクティブ化するように指示すると決定する場合、前記ＢＷＰ非アクティブ化タイマーを停止又は調整すると決定することを含む
ことを特徴とする請求項４に記載のタイマーに基づく帯域幅部分の切り替え方法。
【請求項６】
前記端末デバイスが、前記指示情報が前記端末デバイスが前記非動的スケジューリングリソースをアクティブ化するように指示すると決定する場合、前記ＢＷＰ非アクティブ化タイマーを停止又は調整すると決定することは、
前記端末デバイスが、前記ＰＤＣＣＨのハイブリッド自動再送要求ＨＡＲＱ情報における新しいデータインデックスＮＤＩが０であり、前記指示情報が前記端末デバイスが前記非動的スケジューリングリソースをアクティブ化するように指示すると決定する場合、前記ＢＷＰ非アクティブ化タイマーを停止又は調整すると決定することを含む
ことを特徴とする請求項５に記載のタイマーに基づく帯域幅部分の切り替え方法。
【請求項７】
前記ＢＷＰ非アクティブ化タイマーを停止、開始又は調整するかどうかを決定することは、
前記端末デバイスが第２の条件を満たす場合、前記ＢＷＰ非アクティブ化タイマーを開始、再開又は調整すると決定することを含み、前記第２の条件は、前記端末デバイスが前記指示情報を取得した後に前記ＢＷＰ非アクティブ化タイマーを開始、再開又は調整するかどうかを判断する基準である
ことを特徴とする請求項１〜６のいずれか１項に記載のタイマーに基づく帯域幅部分の切り替え方法。
【請求項８】
前記端末デバイスが第２の条件を満たす場合、前記ＢＷＰ非アクティブ化タイマーを開始、再開又は調整すると決定することは、
前記端末デバイスが、前記指示情報が前記端末デバイスが前記非動的スケジューリングリソースを非アクティブ化するよう指示すると決定する場合、前記ＢＷＰ非アクティブ化タイマーを開始、再開又は調整すると決定することを含む
ことを特徴とする請求項７に記載のタイマーに基づく帯域幅部分の切り替え方法。
【請求項９】
前記端末デバイスが、前記指示情報が前記端末デバイスが前記非動的スケジューリングリソースを非アクティブ化するよう指示すると決定する場合、前記ＢＷＰ非アクティブ化タイマーを開始、再開又は調整すると決定することは、
前記端末デバイスが、前記ＰＤＣＣＨのハイブリッド自動再送要求ＨＡＲＱ情報における新しいデータインデックスＮＤＩが０であり、前記指示情報が前記端末デバイスが前記非動的スケジューリングリソースを非アクティブ化するように指示すると決定する場合、前記ＢＷＰ非アクティブ化タイマーを開始又は再開することを含む
ことを特徴とする請求項８に記載のタイマーに基づく帯域幅部分の切り替え方法。
【請求項１０】
前記非動的スケジューリングリソースは、
ペアリングスペクトル上の下り非動的スケジューリングリソース、非ペアリングスペクトル上の下り非動的スケジューリングリソース、及び非ペアリングスペクトル上の上り非動的スケジューリングリソースのうちの少なくとも１つを含む
ことを特徴とする請求項１〜９のいずれか１項に記載のタイマーに基づく帯域幅部分の切り替え方法。
【請求項１１】
前記端末デバイスにデフォルトＢＷＰが構成されており、前記現在アクティブ化されているＢＷＰが非デフォルトＢＷＰであり、
又は、
前記端末デバイスにデフォルトＢＷＰが構成されず、前記現在アクティブ化されているＢＷＰが非初期ＢＷＰである
ことを特徴とする請求項１〜１０のいずれか１項に記載のタイマーに基づく帯域幅部分の切り替え方法。
【請求項１２】
タイマーに基づく帯域幅部分の切り替え方法であって、
ネットワークデバイスが指示情報を生成することと、
前記ネットワークデバイスが前記端末デバイスに前記指示情報を送信することとを含み、
前記指示情報は、端末デバイスが前記端末デバイスの現在のサービングセルに構成された非動的スケジューリングリソースをアクティブ化又は非アクティブ化するように指示する
ことを特徴とするタイマーに基づく帯域幅部分の切り替え方法。
【請求項１３】
前記ネットワークデバイスが前記端末デバイスに前記指示情報を送信することは、
前記ネットワークデバイスが構成スケジューリング−無線ネットワーク一時識別子ＣＳ−ＲＮＴＩを利用してスクランブルされた物理下り制御チャネルＰＤＣＣＨを前記端末デバイスに送信することを含み、前記ＰＤＣＣＨは、前記端末デバイスが前記非動的スケジューリングリソースをアクティブ化又は非アクティブ化するように指示する
ことを特徴とする請求項１２に記載のタイマーに基づく帯域幅部分の切り替え方法。
【請求項１４】
請求項１〜１１のいずれか１項に記載の方法のステップを実行する
ことを特徴とする端末デバイス。
【請求項１５】
請求項１２又は１３に記載の方法のステップを実行する
ことを特徴とするネットワークデバイス。
【国際調査報告】
2021516478.tif 000009
2021516478.tif 000010
2021516478.tif 000011
2021516478.tif 000012
2021516478.tif 000013